(57)【特許請求の範囲】
【請求項１】
ワイヤレス通信のための方法であって、
セルによって、グラントをユーザ機器（ＵＥ）に送信するための第１のダウンリンクキャリアを決定することと、
前記セルによって、前記ＵＥにリソースが割り当てられた第２のダウンリンクキャリアを決定することと、なお、前記第１のダウンリンクキャリアと前記第２のダウンリンクキャリアは、異なるダウンリンクキャリアである、
前記セルによって、前記ＵＥにリソースが割り当てられた前記第２のダウンリンクキャリアと、キャリアインジケータ（ＣＩ）マッピングとに基づいて、前記グラントのＣＩフィールドを設定することと、
前記セルによって、前記第１のダウンリンクキャリア上で前記ＵＥに前記グラントを送信することと
を備える方法。
【請求項２】
前記ＣＩマッピングが、前記ＵＥに特有であり、複数のソースキャリアが、前記ＵＥに割り当てられる、請求項１に記載の方法。
【請求項３】
前記ＣＩマッピングが、複数のターゲットキャリアをカバーする、請求項１に記載の方法。
【請求項４】
前記ＣＩマッピングが、前記ＵＥに前記グラントを送信するセルに特有であり、異なるセルは、異なるＣＩマッピングを有することができる、請求項１に記載の方法。
【請求項５】
前記ＣＩマッピングが、リソースを割り当てることができる複数のターゲットキャリアについての複数のＣＩ値を備え、前記ＣＩフィールドを前記設定することが、前記第２のダウンリンクキャリアについてのＣＩ値に前記ＣＩフィールドを設定することを備える、請求項１に記載の方法。
【請求項６】
複数のそれぞれのダウンリンクキャリアが、ダウンリンクグラントを送信するのに利用可能であり、各それぞれのダウンリンクキャリアにＣＩマッピングを１つずつ、複数のＣＩマッピングに関連付けられ、各それぞれのダウンリンクキャリアについての前記ＣＩマッピングが、前記それぞれのダウンリンクキャリア上で送信されたダウンリンクグラントによってリソースを割り当てることができる少なくとも１つのダウンリンクキャリアを含む、請求項１に記載の方法。
【請求項７】
複数のそれぞれのダウンリンクキャリアが、アップリンクグラントを送信するのに利用可能であり、各それぞれのダウンリンクキャリアにＣＩマッピングを１つずつ、複数のＣＩマッピングに関連付けられ、各それぞれのダウンリンクキャリアについての前記ＣＩマッピングが、前記それぞれのダウンリンクキャリア上で送信されたアップリンクグラントによってリソースを割り当てることができる少なくとも１つのアップリンクキャリアを含む、請求項１に記載の方法。
【請求項８】
前記セルによって、第２のグラントを前記ＵＥに送信するための第３のキャリアを決定することと、
前記セルによって、前記ＵＥにリソースが割り当てられた第４のキャリアを決定することと、
前記セルによって、前記ＵＥにリソースが割り当てられた前記第４のキャリアと、第２のＣＩマッピングとに基づいて、前記第２のグラントの前記ＣＩフィールドを設定することと、
前記セルによって、前記第３のキャリア上で前記ＵＥに前記第２のグラントを送信することと
をさらに備える、請求項１に記載の方法。
【請求項９】
前記ＣＩマッピングが、前記第２のダウンリンクキャリアを含む少なくとも１つのターゲットキャリアからなる第１のグループをカバーし、前記第２のＣＩマッピングが、前記第４のキャリアを含む少なくとも１つのターゲットキャリアからなる第２のグループをカバーし、少なくとも１つのターゲットキャリアからなる前記第１のグループが、少なくとも１つのターゲットキャリアからなる前記第２のグループとは異なる、請求項８に記載の方法。
【請求項１０】
前記ＣＩマッピングを伝えるシグナリングを送信すること
をさらに備える、請求項１に記載の方法。
【請求項１１】
ワイヤレス通信のための装置であって、
グラントをユーザ機器（ＵＥ）に送信するための第１のダウンリンクキャリアを決定するための手段と、
前記ＵＥにリソースが割り当てられた第２のダウンリンクキャリアを決定するための手段と、なお、前記第１のダウンリンクキャリアと前記第２のダウンリンクキャリアは、異なるダウンリンクキャリアである、
前記ＵＥにリソースが割り当てられた前記第２のダウンリンクキャリアと、キャリアインジケータ（ＣＩ）マッピングとに基づいて、前記グラントのＣＩフィールドを設定するための手段と、
前記第１のダウンリンクキャリア上で前記ＵＥに前記グラントを送信するための手段と
を備える装置。
【請求項１２】
前記ＣＩマッピングが、前記ＵＥに特有であり、複数のソースキャリアが、前記ＵＥに割り当てられる、請求項１１に記載の装置。
【請求項１３】
前記ＣＩマッピングが、前記ＵＥに特有であり、異なるＵＥは、異なるＣＩマッピングを有することができる、請求項１１に記載の装置。
【請求項１４】
複数のそれぞれのダウンリンクキャリアが、ダウンリンクグラントを送信するのに利用可能であり、各それぞれのダウンリンクキャリアにＣＩマッピングを１つずつ、複数のＣＩマッピングに関連付けられ、各それぞれのダウンリンクキャリアについての前記ＣＩマッピングが、前記それぞれのダウンリンクキャリア上で送信されたダウンリンクグラントによってリソースを割り当てることができる少なくとも１つのダウンリンクキャリアを含む、請求項１１に記載の装置。
【請求項１５】
複数のそれぞれのダウンリンクキャリアが、アップリンクグラントを送信するのに利用可能であり、各それぞれのダウンリンクキャリアにＣＩマッピングを１つずつ、複数のＣＩマッピングに関連付けられ、各それぞれのダウンリンクキャリアについての前記ＣＩマッピングが、前記それぞれのダウンリンクキャリア上で送信されたアップリンクグラントによってリソースを割り当てることができる少なくとも１つのアップリンクキャリアを含む、請求項１１に記載の装置。
【請求項１６】
ワイヤレス通信のための装置であって、
グラントをユーザ機器（ＵＥ）に送信するための第１のダウンリンクキャリアを決定し、前記ＵＥにリソースが割り当てられた第２のダウンリンクキャリアを決定し、前記ＵＥにリソースが割り当てられた前記第２のダウンリンクキャリアと、キャリアインジケータ（ＣＩ）マッピングとに基づいて、前記グラントのＣＩフィールドを設定し、前記第１のダウンリンクキャリア上で前記ＵＥに前記グラントを送信するように構成された、少なくとも１つのプロセッサ
を備え、
前記第１のダウンリンクキャリアと前記第２のダウンリンクキャリアは、異なるダウンリンクキャリアである、装置。
【請求項１７】
前記ＣＩマッピングが、前記ＵＥに特有であり、複数のソースキャリアが、前記ＵＥに割り当てられる、請求項１６に記載の装置。
【請求項１８】
前記ＣＩマッピングが、前記ＵＥに特有であり、異なるＵＥは、異なるＣＩマッピングを有することができる、請求項１６に記載の装置。
【請求項１９】
複数のそれぞれのダウンリンクキャリアが、ダウンリンクグラントを送信するのに利用可能であり、各それぞれのダウンリンクキャリアにＣＩマッピングを１つずつ、複数のＣＩマッピングに関連付けられ、各それぞれのダウンリンクキャリアについての前記ＣＩマッピングが、前記それぞれのダウンリンクキャリア上で送信されたダウンリンクグラントによってリソースを割り当てることができる少なくとも１つのダウンリンクキャリアを含む、請求項１６に記載の装置。
【請求項２０】
複数のそれぞれのダウンリンクキャリアが、アップリンクグラントを送信するのに利用可能であり、各それぞれのダウンリンクキャリアにＣＩマッピングを１つずつ、複数のＣＩマッピングに関連付けられ、各それぞれのダウンリンクキャリアについての前記ＣＩマッピングが、前記それぞれのダウンリンクキャリア上で送信されたアップリンクグラントによってリソースを割り当てることができる少なくとも１つのアップリンクキャリアを含む、請求項１６に記載の装置。
【請求項２１】
少なくとも１つのプロセッサに、グラントをユーザ機器（ＵＥ）に送信するための第１のダウンリンクキャリアを決定させるためのコードと、
前記少なくとも１つのプロセッサに、前記ＵＥにリソースが割り当てられた第２のダウンリンクキャリアを決定させるためのコードと、なお、前記第１のダウンリンクキャリアと前記第２のダウンリンクキャリアは、異なるダウンリンクキャリアである、
前記少なくとも１つのプロセッサに、前記ＵＥにリソースが割り当てられた前記第２のダウンリンクキャリアと、キャリアインジケータ（ＣＩ）マッピングとに基づいて、前記グラントのＣＩフィールドを設定させるためのコードと、
前記少なくとも１つのプロセッサに、前記第１のダウンリンクキャリア上で前記ＵＥに前記グラントを送信させるためのコードと
を備えるコンピュータプログラム。
【請求項２２】
ワイヤレス通信のための方法であって、
ユーザ機器（ＵＥ）によって第１のダウンリンクキャリア上でキャリアインジケータ（ＣＩ）フィールドを備えるグラントを受信することと、
前記ＵＥによって、前記ＣＩフィールドと、ＣＩマッピングとに基づいて、前記ＵＥにリソースが割り当てられた第２のダウンリンクキャリアを決定することと、なお、前記第１のダウンリンクキャリアと前記第２のダウンリンクキャリアは、異なるダウンリンクキャリアである、
を備える方法。
【請求項２３】
前記ＣＩマッピングが、前記ＵＥに特有であり、複数のソースキャリアが、前記ＵＥに割り当てられる、請求項２２に記載の方法。
【請求項２４】
前記ＣＩマッピングが、リソースを割り当てることができる複数のターゲットキャリアをカバーする、請求項２２に記載の方法。
【請求項２５】
各ソースキャリアについての前記ＣＩマッピングが、同じ帯域幅を有する少なくとも１つのターゲットキャリアをカバーする、請求項２３に記載の方法。
【請求項２６】
前記ＵＥが、リソースを割り当てることができる複数のターゲットキャリアの各々について、複数の伝送モードの１つを用いて構成され、前記ＣＩマッピングが、前記ＵＥが同じ伝送モードを用いて構成された、少なくとも１つのターゲットキャリアをカバーする、請求項２３に記載の方法。
【請求項２７】
前記ＵＥが、リソースを割り当てることができる複数のターゲットキャリアの各々について、特定のグラントサイズを有し、前記ＣＩマッピングが、前記ＵＥが同じグラントサイズを有する、少なくとも１つのターゲットキャリアをカバーする、請求項２３に記載の方法。
【請求項２８】
各ターゲットキャリアについての前記グラントサイズが、前記ターゲットキャリアの帯域幅、もしくは前記ターゲットキャリア上での前記ＵＥのために構成された伝送モード、またはその両方に基づいて決定される、請求項２７に記載の方法。
【請求項２９】
前記ＣＩマッピングが、前記ＵＥに特有であり、異なるＵＥは、異なるＣＩマッピングを有することができる、請求項２２に記載の方法。
【請求項３０】
前記ＣＩマッピングが、前記ＵＥに前記グラントを送信するセルに特有であり、異なるセルは、異なるＣＩマッピングを有することができる、請求項２２に記載の方法。
【請求項３１】
前記ＣＩマッピングが、リソースを割り当てることができる複数のターゲットキャリアについての複数のＣＩ値を備え、前記第２のダウンリンクキャリアを決定することが、前記ＣＩフィールド内のＣＩ値に基づいて、前記第２のダウンリンクキャリアを決定することを備える、
請求項２２に記載の方法。
【請求項３２】
前記グラントが、アップリンク上でのデータ伝送のためにリソースを割り当てるアップリンクグラントを備える、請求項２２に記載の方法。
【請求項３３】
前記ＵＥによって、第３のキャリア上で前記ＣＩフィールドを備える第２のグラントを受信することと、
前記ＵＥによって、前記第２のグラントの前記ＣＩフィールドと、第２のＣＩマッピングとに基づいて、前記ＵＥにリソースが割り当てられた第４のキャリアを決定することと
をさらに備える、請求項２２に記載の方法。
【請求項３４】
前記ＣＩマッピングが、前記第２のダウンリンクキャリアを含む少なくとも１つのターゲットキャリアからなる第１のグループをカバーし、前記第２のＣＩマッピングが、前記第４のキャリアを含む少なくとも１つのターゲットキャリアからなる第２のグループをカバーし、少なくとも１つのターゲットキャリアからなる前記第１のグループが、少なくとも１つのターゲットキャリアからなる前記第２のグループとは異なる、請求項３３に記載の方法。
【請求項３５】
前記第１のグループと前記第２のグループが、異なる数のターゲットキャリアを含む、請求項３４に記載の方法。
【請求項３６】
前記ＵＥによって、前記ＣＩマッピングを伝えるシグナリングを受信すること
をさらに備える、請求項２２に記載の方法。
【請求項３７】
前記ＣＩマッピングが、リソースを割り当てることができる複数のターゲットキャリアについての複数のＣＩ値を備え、前記シグナリングが、各ＣＩ値に対するターゲットキャリアを伝える、請求項３６に記載の方法。
【請求項３８】
前記シグナリングが、前記ＣＩマッピングについてのビットマップを伝え、前記ビットマップが、複数のターゲットキャリアの各々が前記ＣＩマッピング内に含まれるかどうかを示す、請求項３６に記載の方法。
【請求項３９】
前記シグナリングが、前記ＣＩマッピング内に含まれるターゲットキャリアのリストを伝える、請求項３６に記載の方法。
【請求項４０】
前記ＵＥによって、クロスキャリア割り当てが適用されるかどうかを示すシグナリングを受信することをさらに備え、前記グラントが、クロスキャリア割り当てが適用される場合は、前記ＣＩフィールドを備え、クロスキャリア割り当てが適用されない場合は、前記ＣＩフィールドを備えない、請求項２２に記載の方法。
【請求項４１】
前記ＵＥによって、前記ＣＩフィールドのサイズを示すシグナリングを受信すること
をさらに備える、請求項２２に記載の方法。
【請求項４２】
ワイヤレス通信のための装置であって、
ユーザ機器（ＵＥ）によって第１のダウンリンクキャリア上でキャリアインジケータ（ＣＩ）フィールドを備えるグラントを受信するための手段と、
前記ＣＩフィールドと、ＣＩマッピングとに基づいて、前記ＵＥにリソースが割り当てられた第２のダウンリンクキャリアを決定するための手段と、なお、前記第１のダウンリンクキャリアと前記第２のダウンリンクキャリアは、異なるダウンリンクキャリアである、
を備える装置。
【請求項４３】
前記ＣＩマッピングが、前記ＵＥに特有であり、複数のソースキャリアが、前記ＵＥに割り当てられる、請求項４２に記載の装置。
【請求項４４】
前記ＣＩマッピングが、前記ＵＥに特有であり、異なるＵＥは、異なるＣＩマッピングを有することができる、請求項４２に記載の装置。
【請求項４５】
前記グラントが、アップリンク上でのデータ伝送のためにリソースを割り当てるアップリンクグラントを備える、請求項４２に記載の装置。
【請求項４６】
ワイヤレス通信のための装置であって、
ユーザ機器（ＵＥ）によって第１のダウンリンクキャリア上でキャリアインジケータ（ＣＩ）フィールドを備えるグラントを受信し、前記グラントの前記ＣＩフィールドと、ＣＩマッピングとに基づいて、前記ＵＥにリソースが割り当てられた第２のダウンリンクキャリアを決定するように構成された、少なくとも１つのプロセッサ
を備え、
前記第１のダウンリンクキャリアと前記第２のダウンリンクキャリアは、異なるダウンリンクキャリアである、装置。
【請求項４７】
前記ＣＩマッピングが、前記ＵＥに特有であり、複数のソースキャリアが、前記ＵＥに割り当てられる、請求項４６に記載の装置。
【請求項４８】
前記ＣＩマッピングが、前記ＵＥに特有であり、異なるＵＥは、異なるＣＩマッピングを有することができる、請求項４６に記載の装置。
【請求項４９】
前記グラントが、アップリンク上でのデータ伝送のためにリソースを割り当てるアップリンクグラントを備える、請求項４６に記載の装置。
【請求項５０】
少なくとも１つのプロセッサに、ユーザ機器（ＵＥ）によって第１のダウンリンクキャリア上でキャリアインジケータ（ＣＩ）フィールドを備えるグラントを受信させるためのコードと、
前記少なくとも１つのプロセッサに、前記ＣＩフィールドと、ＣＩマッピングとに基づいて、前記ＵＥにリソースが割り当てられた第２のダウンリンクキャリアを決定させるためのコードと
を備え、
前記第１のダウンリンクキャリアと前記第２のダウンリンクキャリアは、異なるダウンリンクキャリアである、コンピュータプログラム。
【請求項５１】
ワイヤレス通信のための方法であって、
セルによって、制御メッセージを送信するための第１のダウンリンクキャリアを決定することと、
前記セルによって、前記制御メッセージが適用される第２のダウンリンクキャリアを決定することと、なお、前記第１のダウンリンクキャリアと前記第２のダウンリンクキャリアは、異なるダウンリンクキャリアである、
前記セルによって、前記制御メッセージが適用される前記第２のダウンリンクキャリアと、キャリアインジケータ（ＣＩ）マッピングとに基づいて、前記制御メッセージのＣＩフィールドを設定することと、
前記セルによって、前記第１のダウンリンクキャリア上で前記制御メッセージを送信することと
を備える方法。
【請求項５２】
前記セルによって、リソースグラント情報、もしくは肯定応答（ＡＣＫ）情報、もしくはチャネル品質インジケータ（ＣＱＩ）情報、もしくはチャネル状態情報、もしくは電力制御情報、またはそれらの組み合わせを伝える前記制御メッセージを生成すること
をさらに備える、請求項５１に記載の方法。
【請求項５３】
前記ＣＩマッピングが、前記ＵＥに特有であり、複数のソースキャリアが、前記ＵＥに割り当てられる、請求項５１に記載の方法。
【請求項５４】
ワイヤレス通信のための装置であって、
制御メッセージを送信するための第１のダウンリンクキャリアを決定するための手段と、
前記制御メッセージが適用される第２のダウンリンクキャリアを決定するための手段と、なお、前記第１のダウンリンクキャリアと前記第２のダウンリンクキャリアは、異なるダウンリンクキャリアである、
前記制御メッセージが適用される前記第２のダウンリンクキャリアと、キャリアインジケータ（ＣＩ）マッピングとに基づいて、前記制御メッセージのＣＩフィールドを設定するための手段と、
前記第１のダウンリンクキャリア上で前記制御メッセージを送信するための手段と
を備える装置。
【請求項５５】
リソースグラント情報、もしくは肯定応答（ＡＣＫ）情報、もしくはチャネル品質インジケータ（ＣＱＩ）情報、もしくはチャネル状態情報、もしくは電力制御情報、またはそれらの組み合わせを伝える前記制御メッセージを生成するための手段
をさらに備える、請求項５４に記載の装置。
【請求項５６】
前記ＣＩマッピングが、前記ＵＥに特有であり、複数のソースキャリアが、前記ＵＥに割り当てられる、請求項５４に記載の装置。
【請求項５７】
ワイヤレス通信のための方法であって、
ユーザ機器（ＵＥ）によって、第１のダウンリンクキャリア上でキャリアインジケータ（ＣＩ）フィールドを備える制御メッセージを受信することと、
前記ＵＥによって、前記ＣＩフィールドと、ＣＩマッピングとに基づいて、前記制御メッセージが適用される第２のダウンリンクキャリアを決定することと
を備え、
前記第１のダウンリンクキャリアと前記第２のダウンリンクキャリアは、異なるダウンリンクキャリアである、方法。
【請求項５８】
前記ＵＥによって、リソースグラント情報、もしくは肯定応答（ＡＣＫ）情報、もしくはチャネル品質インジケータ（ＣＱＩ）情報、もしくはチャネル状態情報、もしくは電力制御情報、またはそれらの組み合わせを前記制御メッセージから獲得すること
をさらに備える、請求項５７に記載の方法。
【請求項５９】
前記ＣＩマッピングが、前記ＵＥに特有であり、複数のソースキャリアが、前記ＵＥに割り当てられる、請求項５７に記載の方法。
【請求項６０】
ワイヤレス通信のための装置であって、
第１のダウンリンクキャリア上でキャリアインジケータ（ＣＩ）フィールドを備える制御メッセージを受信するための手段と、
前記ＣＩフィールドと、ＣＩマッピングとに基づいて、前記制御メッセージが適用される第２のダウンリンクキャリアを決定するための手段と
を備え、
前記第１のダウンリンクキャリアと前記第２のダウンリンクキャリアは、異なるダウンリンクキャリアである、装置。
【請求項６１】
リソースグラント情報、もしくは肯定応答（ＡＣＫ）情報、もしくはチャネル品質インジケータ（ＣＱＩ）情報、もしくはチャネル状態情報、もしくは電力制御情報、またはそれらの組み合わせを前記制御メッセージから獲得するための手段
をさらに備える、請求項６０に記載の装置。
【請求項６２】
前記ＣＩマッピングが、前記ＵＥに特有であり、複数のソースキャリアが、前記ＵＥに割り当てられる、請求項６０に記載の装置。
【発明の詳細な説明】
【技術分野】
【０００１】
本出願は、参照により本明細書に組み込まれる、２００９年１０月５日に出願された、「ＣＡＲＲＩＥＲ  ＩＮＤＩＣＡＴＯＲ  ＦＩＥＬＤ  ＦＯＲ  ＣＲＯＳＳ  ＣＡＲＲＩＥＲ  ＡＳＳＩＧＮＭＥＮＴＳ」と題する、米国仮出願第６１／２４８，６３２号の優先権を主張する。
【０００２】
本開示は、一般に、通信に関し、より詳細には、複数のキャリア上での通信をサポートするための技法に関する。
【背景技術】
【０００３】
ワイヤレス通信ネットワークは、音声、ビデオ、パケットデータ、メッセージング、放送など、様々な通信コンテンツを提供するために、広く配備されている。これらのワイヤレスネットワークは、利用可能なネットワークリソースを共用することによって、複数のユーザをサポートすることが可能な、多元接続ネットワークとすることができ得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
ワイヤレスネットワークは、多数のユーザ機器（ＵＥ）に対して通信をサポートできる、多数の基地局を含むことができ得る。ＵＥは、ダウンリンクおよびアップリンクを介して、基地局と通信することができ得る。ダウンリンク（またはフォワードリンク）とは、基地局からＵＥに向かう通信リンクのことであり、アップリンク（またはリバースリンク）とは、ＵＥから基地局に向かう通信リンクのことである。
【０００５】
ワイヤレスネットワークは、ダウンリンクおよび／またはアップリンク上の複数のキャリア上での動作をサポートすることができ得る。キャリアとは、通信用に使用される周波数の範囲のこととすることができ得、キャリアは、何らかの特性に関連付けることができ得る。キャリアは、チャネル、周波数チャネルなどと呼ばれることもある。ＵＥは、基地局との通信のために、各リンク上のキャリアまたは１組のキャリア上で動作することができ得る。基地局は、ダウンリンク上の１つまたは複数のキャリア上で、ＵＥに制御情報とデータとを送信することができ得る。ＵＥは、アップリンク上の１つまたは複数のキャリア上で、基地局に制御情報とデータとを送信することができ得る。ダウンリンクおよび／またはアップリンク上の複数のキャリア上での動作を効率的にサポートすることが望ましいことがある。
【発明の概要】
【０００６】
ダウンリンクおよび／またはアップリンク上の複数のキャリア上での動作をサポートするための技法が、本明細書で説明される。一態様では、マルチキャリア動作とクロスキャリア割り当てとをサポートするために、キャリアインジケータ（ＣＩ:carrier indicator）フィールドを使用することができ得る。クロスキャリア割り当てのために、ＣＩフィールドを、１つのキャリア上で送信されるグラント内に含むことができ得、リソースが割り当てられた別のキャリアを示すために使用することができ得る。
【０００７】
１つの設計では、セルは、グラント（grant）をＵＥに送信するための第１のキャリアを決定することができ得る。セルは、ＵＥにリソースが割り当てられた第２のキャリアを決定することができ得る。セルは、ＵＥにリソースが割り当てられた第２のキャリアと、第１のキャリアについてのＣＩマッピングとに基づいて、グラントのＣＩフィールドを設定することができ得る。ＣＩマッピングは、リソースを割り当てることができる複数のキャリアについての複数のＣＩ値を備えることができ得る。セルは、第２のキャリアについての（または第２のキャリアに割り当てられた）ＣＩ値を、グラントのＣＩフィールドに設定することができ得る。セルは、第１のキャリア上でＵＥにグラントを送信することができ得る。
【０００８】
１つの設計では、ＵＥは、セルから第１のキャリア上でＣＩフィールドを備えるグラントを受信することができ得る。ＵＥは、グラントのＣＩフィールド内のＣＩ値と、第１のキャリアについてのＣＩマッピングとに基づいて、ＵＥにリソースが割り当てられた第２のキャリアを決定することができ得る。
【０００９】
１つの設計では、ダウンリンク上のクロスキャリア割り当てに関して、第１のキャリアと第２のキャリアは、異なるダウンリンクキャリアとすることができ得る。別の設計では、アップリンク上のクロスキャリア割り当てに関して、第１のキャリアは、ダウンリンクキャリアとすることができ得、第２のキャリアは、ダウンリンクキャリアとペアにならないことがある、アップリンクキャリアとすることができ得る。
【００１０】
１つの設計では、ＣＩマッピングは、第１のキャリアに特有とすることができ得る。グラントを送信するために、異なるキャリアを利用可能とすることができ得、異なるキャリアには、異なるＣＩマッピングを関連付けることができ得る。１つの設計では、ＣＩマッピングは、ＵＥに特有とすることができ得、異なるＵＥは、第１のキャリアについて異なるＣＩマッピングを有することができ得る。別の設計では、ＣＩマッピングは、セルに特有とすることができ得、異なるセルは、第１のキャリアについて異なるＣＩマッピングを有することができ得る。
【００１１】
本開示の様々な態様および特徴が、以下でさらに詳細に説明される。
【図面の簡単な説明】
【００１２】
【図１】ワイヤレス通信ネットワークを示す図。
【図２】通信リンクのための複数のキャリアを示す図。
【図３Ａ】ダウンリンク上のクロスキャリア割り当てを示す図。
【図３Ｂ】アップリンク上のクロスキャリア割り当てを示す図。
【図４】ワイヤレスネットワークにおいてグラントを送信するためのプロセスを示す図。
【図５】ワイヤレスネットワークにおいてグラントを受信するためのプロセスを示す図。
【図６】ワイヤレスネットワークにおいて制御メッセージを送信するためのプロセスを示す図。
【図７】ワイヤレスネットワークにおいて制御メッセージを受信するためのプロセスを示す図。
【図８】基地局およびＵＥのブロック図。
【発明を実施するための形態】
【００１３】
本明細書で説明する技法は、ＣＤＭＡ、ＴＤＭＡ、ＦＤＭＡ、ＯＦＤＭＡ、ＳＣ−ＦＤＭＡ、および他のワイヤレスネットワークなど、様々なワイヤレス通信ネットワークのために使用することができ得る。「ネットワーク」という用語と「システム」という用語は、しばしば交換可能に使用される。ＣＤＭＡネットワークは、ユニバーサル地上無線アクセス（ＵＴＲＡ）、ｃｄｍａ２０００などの、無線技術を実施することができ得る。ＵＴＲＡは、広帯域ＣＤＭＡ（ＷＣＤＭＡ）、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格を包含する。ＴＤＭＡネットワークは、モバイル通信用グローバルシステム（ＧＳＭ（登録商標））などの、無線技術を実施することができ得る。ＯＦＤＭＡネットワークは、Evolved ＵＴＲＡ（Ｅ−ＵＴＲＡ）、ウルトラモバイルブロードバンド（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ｆｌａｓｈ−ＯＦＤＭ（登録商標）などの、無線技術を実施することができ得る。ＵＴＲＡおよびＥ−ＵＴＲＡは、ユニバーサルモバイル通信システム（ＵＭＴＳ）の一部である。３ＧＰＰのロングタームエボリューション（ＬＴＥ）およびＬＴＥアドバンスト（ＬＴＥ−Ａ）は、周波数分割複信（ＦＤＤ）と時分割複信（ＴＤＤ）の両方の場合で、ダウンリンク上ではＯＦＤＭＡを、アップリンク上ではＳＣ−ＦＤＭＡを利用する、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織が発行する文書において説明されている。ｃｄｍａ２０００およびＵＭＢは、「第３世代パートナーシッププロジェクト２」（３ＧＰＰ２）という名称の組織が発行する文書において説明されている。本明細書で説明する技法は、上で言及したワイヤレスネットワークおよび無線技術のためばかりでなく、他のワイヤレスネットワークおよび無線技術のためにも使用することができ得る。明瞭にするため、以下では、技法のいくつかの態様が、ＬＴＥに関して説明され、以下の説明の多くでは、ＬＴＥ用語が使用される。
【００１４】
図１は、ＬＴＥネットワークまたは他の何らかのワイヤレスネットワークとすることができ得る、ワイヤレス通信ネットワーク１００を示している。ワイヤレスネットワーク１００は、多数の進化型ノードＢ（ｅＮＢ）１１０と、他のネットワークエンティティとを含むことができ得る。ｅＮＢは、ＵＥと通信するエンティティとすることができ得、ノードＢ、基地局、アクセスポイントなどと呼ばれることもある。各ｅＮＢ  １１０は、特定の地理的エリアに通信カバレージを提供することができ得、カバレージエリア内に所在するＵＥに対して通信をサポートすることができ得る。ネットワーク容量を改善するために、ｅＮＢのカバレージエリア全体を、複数（例えば３つ）のより小さなエリアに分割することができ得る。より小さな各エリアは、それぞれのｅＮＢサブシステムによるサービスを受けることができ得る。３ＧＰＰでは、「セル」という用語は、ｅＮＢの最も小さなカバレージエリアのことを、および／またはこのカバレージエリアにサービスするｅＮＢサブシステムのことを指すことができる。
【００１５】
ネットワークコントローラ１３０は、１組のｅＮＢに結合することができ得、これらのｅＮＢに調整と制御とを提供することができ得る。ネットワークコントローラ１３０は、モバイル管理エンティティ（ＭＭＥ:Mobile Management Entity）および／または他の何らかのネットワークエンティティを備えることができ得る。
【００１６】
ＵＥ  １２０は、ワイヤレスネットワーク全域に分散することができ得、各ＵＥは、固定型または移動型とすることができ得る。ＵＥは、移動局、端末、アクセス端末、加入者ユニット、局などと呼ばれることもある。ＵＥは、セルラフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、スマートフォン、ネットブック、スマートブックなどとすることができ得る。
【００１７】
ワイヤレスネットワーク１００は、マルチキャリア動作をサポートすることができ得、マルチキャリア動作とは、ダウンリンク上の複数のキャリア上での、および／またはアップリンク上の複数のキャリア上での動作のこととすることができ得る。ダウンリンク用に使用されるキャリアは、ダウンリンクキャリアと呼ばれることがあり、アップリンク用に使用されるキャリアは、アップリンクキャリアと呼ばれることがある。
【００１８】
図２は、通信リンクのために利用可能な複数（Ｋ個）のキャリア１からＫを示しており、通信リンクは、ダウンリンクまたはアップリンクとすることができ得る。キャリア１からＫは、それぞれ周波数ｆ1からｆKに中心を有することができ得、それぞれＢＷ1からＢＷKの帯域幅を有することができ得る。一般に、各キャリアは、任意の帯域幅を有することができ得、Ｋ個のキャリアは、同じ帯域幅を有してもよく、または異なる帯域幅を有してもよい。Ｋ個のキャリアの様々な属性（例えば、中心周波数、帯域幅など）を伝えるシステム情報を、ＵＥにブロードキャストすることができ得る。
【００１９】
一般に、任意の数のキャリアを、ダウンリンク用にサポートすることができ得、任意の数のキャリアを、アップリンク用にサポートすることができ得る。ダウンリンクキャリアの数は、アップリンクキャリアの数と一致してもよく、または一致しなくてもよい。１つの設計では、各アップリンクキャリアは、特定のダウンリンクキャリアに関連付けること、または特定のダウンリンクキャリアとペアにすることができ得る。この設計では、与えられたダウンリンクキャリア上でのデータ伝送についてのフィードバック情報を、関連付けられたアップリンクキャリア上で送信することができ得、与えられたアップリンクキャリア上でのデータ伝送についての制御情報を、関連付けられたダウンリンクキャリア上で送信することができ得る。
【００２０】
ダウンリンクおよび／またはアップリンク上の複数のキャリア上でＵＥの動作をサポートすることが望ましいことがあり、これは、キャリアアグリゲーション（carrier aggregation）と呼ばれることがある。これは、ＵＥが、任意の与えられた時に、複数のキャリアのうちの１つまたは複数の上でデータを受信または送信することを可能にすることができ得る。ダウンリンクおよび／またはアップリンク上でクロスキャリア割り当てをサポートすることが望ましいこともある。クロスキャリア割り当ての場合、別のキャリア上でのデータ伝送のためのリソースを割り当てるために、１つのキャリア上でＵＥにグラントを送信することができ得る。グラントは、アサインメント、スケジューリングメッセージなどと呼ばれることもある。
【００２１】
図３Ａは、ダウンリンク用のクロスキャリア割り当ての一例を示している。Ｋ個のダウンリンクキャリア１からＫをサポートすることができ得、ここで、Ｋ＞１である。別のダウンリンクキャリアＹ上でのデータ伝送のためのリソースを割り当てるために、１つのダウンリンクキャリアＸ上でＵＥにダウンリンクグラントを送信することができ得る。
【００２２】
図３Ｂは、アップリンク用のクロスキャリア割り当ての一例を示している。Ｋ個のダウンリンクキャリア１からＫと、Ｍ個のアップリンクキャリア１からＭをサポートすることができ得、ここで、Ｋ≧１、Ｍ＞１である。各アップリンクキャリアは、１つのダウンリンクキャリアに関連付けること、または１つのダウンリンクキャリアとペアにすることができ得る。ダウンリンクキャリアＸとペアにならないことがある、１つのアップリンクキャリアＺ上でのデータ伝送のためのリソースを割り当てるために、１つのダウンリンクキャリアＸ上でＵＥにアップリンクグラントを送信することができ得る。
【００２３】
一態様では、マルチキャリア動作とクロスキャリア割り当てとをサポートするために、キャリアインジケータ（ＣＩ）フィールドを使用することができ得る。１つの設計では、ＣＩフィールドを、グラント内に含むことができ得、ＵＥにリソースが割り当てられたキャリアを示すために使用することができ得る。クロスキャリア割り当てに関して、リソースが割り当てられたキャリアは、（ｉ）グラントが送信されたダウンリンクキャリアと、または（ｉｉ）グラントが送信されたダウンリンクキャリアに関連付けられたアップリンクキャリアと異なることができ得る。ダウンリンク上のクロスキャリア割り当てに関して、リソースが割り当てられたダウンリンクキャリアを示すために、ＣＩフィールドを使用することができ得る。アップリンク上のクロスキャリア割り当てに関して、リソースが割り当てられたアップリンクキャリアを示すために、ＣＩフィールドを使用することができ得る。明瞭にするため、以下の説明の多くは、ダウンリンク上のクロスキャリア割り当てに関するものである。ＣＩフィールドは、様々な方法で定義することができ得る。
【００２４】
１つの設計では、各ソースキャリアについて、キャリア特有のＣＩマッピングを定義することができ得る。ソースキャリアは、ＣＩフィールドを有する制御メッセージ（例えばグラント）を送信でき得るキャリアである。一般に、ソースキャリアは、ダウンリンクキャリアまたはアップリンクキャリアとすることができ得る。明瞭にするため、以下の説明の多くでは、ソースキャリアは、ＵＥにグラントを送信でき得るダウンリンクキャリアであると仮定される。ＣＩマッピングは、ＣＩテーブルなどと呼ばれることもある。各ソースキャリアについてのＣＩマッピングは、ＣＩフィールドの可能な各値（すなわち可能な各ＣＩ値）に対するターゲットキャリアを（存在する場合は）指定することができ得る。ターゲットキャリアは、制御メッセージ（例えばグラント）が適用されるキャリアである。例えば、ＣＩフィールドがＮビットを含む場合、最大で２N個のターゲットキャリアを、Ｎビットで可能な２N個のＣＩ値に関連付けることができ得る。１つの設計では、異なるソースキャリアに対して、異なるＣＩマッピングを定義することができ得、与えられたＣＩ値は、異なるＣＩマッピングでは異なるターゲットキャリアを示すことができ得る。
【００２５】
表１は、３つのソースキャリアＡ、Ｂ、Ｃについての３つのＣＩマッピングの第１の例を示している。この例では、ＣＩフィールドは、１ビットを含み（Ｎ＝１）、０と１の２つの可能なＣＩ値が存在する。ソースキャリアＡについてのＣＩマッピングの場合、ＣＩ値の０は、ターゲットキャリアＡに対応し、ＣＩ値の１は、ターゲットキャリアＢに対応する。ソースキャリアＢについてのＣＩマッピングの場合、ＣＩ値の０は、ターゲットキャリアＢに対応し、ＣＩ値の１は、ターゲットキャリアＡに対応する。したがって、キャリアＢについてのＣＩマッピングは、キャリアＡについてのＣＩマッピングとは異なる。ソースキャリアＣについてのＣＩマッピングの場合、ＣＩ値の１は、ターゲットキャリアＣに対応し、ＣＩ値の０は、未定義であり、どのターゲットキャリアとも対応しない。したがって、キャリアＣについてのＣＩマッピングは、キャリアＡとキャリアＢについてのＣＩマッピングとは異なる。表１は、異なるＣＩマッピングにおいては、同じＣＩ値が異なるターゲットキャリアに割り当てられることも示している。例えば、ＣＩ値の１は、キャリアＡについてのＣＩマッピングではキャリアＢに対応し、キャリアＢについてのＣＩマッピングではキャリアＡに対応し、キャリアＣについてのＣＩマッピングではキャリアＣに対応する。
【表１】
0005497187.tif 000002
【００２６】
クロスキャリア割り当ては、ＵＥにグラントを送信する際に、柔軟性を提供することができ得るが、ＵＥにおいて復号の複雑さを増加させることもある。グラントは、キャリアＸ上でＵＥに送信することができ得、別のキャリアＹ上のリソースをＵＥに割り当てることができ得る。キャリアＸは、ソースキャリアとすることができ得、キャリアＹは、ターゲットキャリアとすることができ得る。グラントは、キャリアＸの帯域幅および／またはキャリアＹの帯域幅に依存でき得る方法で送信することができ得る。例えば、グラントは、キャリアＹの帯域幅と場合によっては他の要因とに依存でき得る長さを有することができ得る。
【００２７】
ＵＥは、グラントによってリソースがどのキャリアに割り当てられたかを一般に知らない。その場合、ＵＥは、キャリアＸ上で送信されたグラントによってリソースを割り当てることができる可能な各ターゲットキャリアに対して、ブラインド復号（blind decoding）を実行することができ得る。ＵＥによって実行されるブラインド復号の数は、キャリアＸについてのＣＩマッピングに含まれる、異なる帯域幅を有するターゲットキャリアの数に依存することができ得る。例えば、キャリアＸとキャリアＹを、キャリアＸについてのＣＩマッピングに含むことができ得、キャリアＸは、５ＭＨｚの帯域幅を有することができ得、キャリアＹは、１０ＭＨｚの帯域幅を有することができ得る。５ＭＨｚのキャリアについてのグラントの下り制御情報（ＤＣＩ）フォーマットは、１０ＭＨｚのキャリアについてのグラントのＤＣＩフォーマットとは異なることができ得る。したがって、ＵＥは、キャリアＸ上で受信したグラントを復号するための、５ＭＨｚ帯域幅と１０ＭＨｚ帯域幅とに対応する２つの仮説（hypothesis）を検討することがある。したがって、ＣＩマッピング内に異なる帯域幅を有するターゲットキャリアが多くなるほど、ＵＥの複雑さが増加し、および／または性能が低下することがある。
【００２８】
各ソースキャリアに関連付けられるターゲットキャリアは、ＵＥの複雑さを減少させるように選択することができ得る。１つの設計では、各ソースキャリアは、ソースキャリアと同じ帯域幅を有する１つまたは複数のターゲットキャリアに関連付けることができ得る。表１に示された例の場合、キャリアＡとキャリアＢは、同じ帯域幅を有することができ得、キャリアＣは、異なる帯域幅を有することができ得る。キャリアＡとキャリアＢについてのＣＩマッピングにキャリアＣを含まないことによって（または同じことだが、キャリアＡとキャリアＢからキャリアＣへのクロスキャリア割り当てを防止することによって）、キャリアＡ、Ｂ、またはＣ上で送信されるグラントを復号するための仮説の数を減らすことができ得る。別の設計では、各ソースキャリアは、復号仮説の数を減らすために、僅かな数（例えば２つまたは３つ）の異なる帯域幅を有するターゲットキャリアに関連付けることができ得る。
【００２９】
ＣＩマッピングがどのように定義でき得るかに係わらず、ＵＥは、異なるソースキャリアについてのＣＩマッピングを知る。ＵＥは、リソースの割り当てを解釈するために、各ソースキャリアについてのＣＩマッピングを使用することができ得る。例えば、ＵＥは、キャリアＸ上でＣＩ値のＱを有するグラントを受信することができ得る。ＵＥは、キャリアＸについてのＣＩマッピングを調べることができ得、キャリアＺがＣＩ値のＱに対応することを決定することができ得る。その場合、ＵＥは、グラントがキャリアＺ上のリソースについてのものであることを決定することができ得る。
【００３０】
シグナリングオーバヘッドを低減させるために、ＣＩフィールド用に使用されるビットの数を制限することが望ましいことがある。例えば、ＣＩフィールドは、１、２、または３ビットに制限することができ得る。可能なＣＩ値の数（２N）は、ＣＩフィールド用に使用されるビットの数（Ｎ）に依存する。例えば、ＣＩフィールド用に２ビットが使用される場合、４つの可能なＣＩ値が利用可能であり、最大で４つのターゲットキャリアに割り当てることができ得る。ＣＩフィールド用のＮビットを用いて、２N個よりも多くのターゲットキャリアをサポートすることが望ましいことがある。
【００３１】
１つの設計では、最大で２N個のターゲットキャリアからなるグループをソースキャリア毎に選択することによって、ＣＩフィールド用のＮビットを用いて、２N個よりも多くのターゲットキャリアをサポートすることができ得る。その場合、各ソースキャリアについてのＣＩマッピングを、そのソースキャリアに関連付けられたターゲットキャリアのグループに対して定義することができ得る。ターゲットキャリアの異なるグループを、異なるソースキャリアに関連付けることができ得る。各グループは、２N個またはより少数のターゲットキャリアを含むことができ得、すべてのグループ全体で、すべてのターゲットキャリアを含むことができ得る。
【００３２】
表２は、ＮビットのＣＩフィールドを用いて、２N個よりも多くのターゲットキャリアをサポートする一例を示している。この例では、ＣＩフィールドは、（表２では１６進数で与えられた）４つの可能なＣＩ値のための２つのビットを含み、５つのターゲットキャリアＡからＥがサポートされる。表２は、３つのソースキャリアＡ、Ｂ、Ｃについての３つのＣＩマッピングを示している。表２に示される例では、ソースキャリアＡは、ターゲットキャリアＡ、Ｂ、Ｃ、Ｄに関連付けられ、ソースキャリアＢは、ターゲットキャリアＢ、Ｃ、Ｄ、Ｅに関連付けられ、ソースキャリアＣも、ターゲットキャリアＢ、Ｃ、Ｄ、Ｅに関連付けられる。ソースキャリアＡとソースキャリアＢは、ターゲットキャリアの異なるグループに関連付けられる。したがって、ターゲットキャリアの異なるグループをサポートするために、ソースキャリアＡとソースキャリアＢに対して、異なるＣＩマッピングが定義される。その場合、ＣＩ値の解釈は、ソースキャリアＡとソースキャリアＢとでは異なる。ソースキャリアＢとソースキャリアＣは、ターゲットキャリアの同じグループに関連付けられる。ソースキャリアＢとソースキャリアＣに対しては、（表２ではそうなっていないが）同じＣＩマッピングを定義することができ得る。代替として、ソースキャリアＢとソースキャリアＣに対して、（表２に示されるように）異なるＣＩマッピングを定義することができ得る。
【表２】
0005497187.tif 000003
【００３３】
一般に、ＮビットのＣＩフィールドを用いて、任意の数のターゲットキャリアをサポートすることができ得る。ソースキャリアは、（表２に示されるような）ターゲットキャリアのオーバラップするグループ、またはターゲットサブキャリアのオーバラップしないグループに関連付けることができ得る。例えば、８つのターゲットキャリアＡからＨをサポートすることができ得、４つのターゲットキャリアＡからＤからなる第１のグループは、第１のソースキャリアについての第１のＣＩマッピングにおいて、４つのＣＩ値００から１１（１６進数）に関連付けることができ得、４つのターゲットキャリアＥからＨからなる第２のグループは、第２のソースキャリアについての第２のＣＩマッピングにおいて、４つのＣＩ値００から１１（１６進数）に関連付けることができ得る。その場合、グラントは、ＵＥにリソースが割り当てられたキャリアに応じて、異なるソースキャリア上でＵＥに送信することができ得る。各ソースキャリアに関連付けられるターゲットキャリアをすべてのターゲットキャリアのサブセットに制限することで、（例えば、異なるキャリアが異なる帯域幅を有する場合に）ＵＥが各ソースキャリアについて実行するブラインド復号の数を減らすことができ得る。
【００３４】
表１および表２は、異なるソースキャリアについてのＣＩマッピングの２つの例を示している。一般に、異なるソースキャリアについてのＣＩマッピングは、様々な方法で定義することができ得る。１つの設計では、異なるソースキャリアについてのＣＩマッピングは、規格において指定することができ得、固定することができ得る。別の設計では、異なるソースキャリアについてのＣＩマッピングは、ワイヤレスネットワーク（例えば、指定されたネットワークエンティティまたはネットワーク事業者）によって定義することができ得、構成可能とすることができ得る。１つの設計では、異なるソースキャリアについてのＣＩマッピングは、セルによってサービスされるすべてのＵＥに共通とすることができ得、ＵＥにブロードキャストすることができ得る。別の設計では、異なるソースキャリアについてのＣＩマッピングは、各ＵＥに特有とすることができ得、ＵＥに伝達することができ得る。
【００３５】
１つまたは複数のターゲットキャリアからなるグループは、各ソースキャリアに関連付けることができ得、様々な方法で、また様々な基準に基づいて、選択することができ得る。１つの設計では、各ソースキャリアに関連付けられるターゲットキャリアは、各キャリアの帯域幅に基づいて選択することができ得る。グラントは、グラントが送信されるソースキャリアの帯域幅、および／またはリソースが割り当てられたターゲットキャリアの帯域幅に応じて、異なる方法で（例えば、異なる数の制御チャネル要素（ＣＣＥ）上で）送信することができ得る。その場合、各ソースキャリアは、ＵＥにおける復号の複雑さを減少させるために、ソースキャリアと同じ帯域幅を有するターゲットキャリアに関連付けることができ得る。
【００３６】
別の設計では、各ソースキャリアに関連付けられるターゲットキャリアは、各キャリア上でのＵＥのために構成された伝送モードに基づいて選択することができ得る。多数の伝送モードを、ワイヤレスネットワークによってサポートすることができ得る。各伝送モードは、データをどのように送信するかを指定することができ得る。各伝送モードは、その伝送モードに基づいたデータ伝送のためのグラントを送信するために使用でき得る、１組のＤＣＩフォーマットに関連付けることもでき得る。ＵＥは、あるキャリア上での特定の伝送モードを用いて構成することができ得、そのキャリア上でのＵＥのために構成された伝送モードに関連付けられたすべてのＤＣＩフォーマットについて、ブラインド復号を実行することができ得る。１つまたは複数のターゲットキャリアに関連付けられた各ソースキャリアについて、ＵＥは、そのソースキャリアに関連付けられたすべてのターゲットキャリア上でのＵＥのために構成されたすべての伝送モードに関連付けられたすべてのＤＣＩフォーマットについて、ブラインド復号を実行することができ得る。例えば、ＵＥは、ターゲットキャリアＸ上では伝送モード１を用いて、またターゲットキャリアＹ上では伝送モード２を用いて構成することができ得る。ソースキャリアＡがターゲットキャリアＸとターゲットキャリアＹに関連付けられた場合、ＵＥは、ソースキャリアＡに関連付けられたターゲットキャリアＸとターゲットキャリアＹ上でのＵＥのために構成された伝送モード１と伝送モード２に関連付けられたすべてのＤＣＩフォーマットについて、ソースキャリアＡのためのブラインド復号を実行することができ得る。１つの設計では、ブラインド復号の数を減らすために、同じ伝送モードを用いてＵＥが構成されたターゲットキャリアを、一緒にグループ化することができ得る。例えば、ソースキャリアＡは、ＵＥが伝送モード１のために構成されたターゲットキャリアのグループに関連付けることができ得、ソースキャリアＢは、ＵＥが伝送モード２のために構成されたターゲットキャリアのグループに関連付けることができ得、他も同様である。その場合、ＵＥは、ソースキャリアＡのための１組のＤＣＩフォーマットについてブラインド復号を実行することができ得、ソースキャリアＢのための別の１組のＤＣＩフォーマットについてブラインド復号を実行することができ得、他も同様である。
【００３７】
各ソースキャリアに関連付けられたターゲットキャリアは、他の基準に基づいて選択することもでき得る。ターゲットキャリアは、ＵＥの復号の複雑さを低下させるなどするために、選択することができ得る。ＣＩマッピングは、そのソースキャリアに関連付けられたターゲットキャリアに基づいて、各ソースキャリアについて定義することができ得る。
【００３８】
異なるソースキャリアについてのＣＩマッピングは、様々な方法で定義し、伝えることができ得る。第１の設計では、ＣＩマッピングは、各ソースキャリアについて定義することができ得、可能な各ＣＩ値に対するターゲットキャリアを（存在する場合は）含むことができ得る。表２に示される例の場合、ソースキャリアＡについてのＣＩマッピングは、キャリアＡにはＣＩ値００（１６進数）が割り当てられ、キャリアＢにはＣＩ値０１が割り当てられ、キャリアＣにはＣＩ値１０が割り当てられ、キャリアＤにはＣＩ値１１が割り当てられることを示すことができ得る。第１の設計の場合、各ターゲットキャリアを伝えるために使用されるビットの数は、ターゲットキャリアの総数に依存することができ得る。表２に示される例の場合、５つのターゲットキャリアをサポートすることができ得、各ターゲットキャリアは、３ビット値によって伝えることができ得る。その場合、各ソースキャリアについてのＣＩマッピングは、４つの可能な各ＣＩ値が割り当てられた４つのターゲットキャリアのために、４つの３ビット値によって伝えることができ得る。第１の設計は、各ソースキャリアについてのＣＩマッピングを定義する際に、完全な柔軟性を提供することができ得る。
【００３９】
第２の設計では、異なるソースキャリアについてのＣＩマッピングは、ＣＩ値の共通の定義に基づいて定義することができ得る。この設計では、最大で２N個のターゲットキャリアを、ＣＩフィールド用のＮビットを用いて、サポートすることができ得る。２N個の可能なＣＩ値の各々は、特定のターゲットキャリアに割り当てることができ得る。その場合、各ソースキャリアについてのＣＩマッピングは、ＣＩ値のこの共通の定義に基づいて定義することができ得る。例えば、表３に示されるように、４つのターゲットキャリアＡ、Ｂ、Ｃ、Ｄを、ＣＩフィールド用の２ビットを用いて、サポートすることができ得る。キャリアＡにはＣＩ値００（１６進数）が割り当てられ、キャリアＢにはＣＩ値０１が割り当てられ、キャリアＣにはＣＩ値１０が割り当てられ、キャリアＤにはＣＩ値１１が割り当てられる。ＣＩ値のこの共通の定義は、すべてのソースキャリアについて適用可能とすることができ得る。
【表３】
0005497187.tif 000004
【００４０】
１つの設計では、各ソースキャリアについてのＣＩマッピングは、ＣＩ値の共通の定義に基づいて定義された、ビットマップを備えることができ得る。与えられたソースキャリアについてのビットマップは、２N個の可能なＣＩ値に関連付けられた最大で２N個のターゲットキャリアのために、２N個のビットを含むことができ得る。表３に示される例の場合、ビットマップは、００から１１の４つの可能なＣＩ値のために、４ビットを含むことができ得る。ビットマップ内の第１のビットは、ＣＩ値００が割り当てられたキャリアＡに対応することができ得、第２のビットは、ＣＩ値０１が割り当てられたキャリアＢに対応することができ得、第３のビットは、ＣＩ値１０が割り当てられたキャリアＣに対応することができ得、第４のビットは、ＣＩ値１１が割り当てられたキャリアＤに対応することができ得る。ビットマップ内の第ｎのビットは、（ｉ）対応するターゲットキャリアがソースキャリアに関連付けられていることを示す第１の値（例えば１）、または（ｉｉ）対応するターゲットキャリアがソースキャリアに関連付けられていないことを示す第２の値（例えば０）に設定することができ得る。表３に示される例の場合、ソースキャリアＡ、Ｂ、Ｃについての３つのビットマップは、以下のように定義することができ得る。
【００４１】
ソースキャリアＡについてのビットマップ：（１  １  ０  ０）
ソースキャリアＢについてのビットマップ：（０  １  １  ０）
ソースキャリアＣについてのビットマップ：（１  ０  １  ０）
上記の例では、各ビットマップ内の４ビットは、キャリアＡ、Ｂ、Ｃ、Ｄに対応する。ソースキャリアＡについてのビットマップは、キャリアＡとキャリアＢがソースキャリアＡに関連付けられることを示す。ソースキャリアＢについてのビットマップは、キャリアＢとキャリアＣがソースキャリアＢに関連付けられることを示す。ソースキャリアＣについてのビットマップは、キャリアＡとキャリアＣがソースキャリアＣに関連付けられることを示す。
【００４２】
別の設計では、各ソースキャリアについてのＣＩマッピングは、そのソースキャリアに関連付けられたターゲットキャリアのリストを備えることができ得、ターゲットキャリアは、ＣＩ値の共通の定義に基づいて定義される。表３に示される例の場合、ソースキャリアＡ、Ｂ、Ｃについての３つのリストは、以下のように定義することができ得る。
【００４３】
ソースキャリアＡについてのリスト：（００），（０１）
ソースキャリアＢについてのリスト：（０１），（１０）
ソースキャリアＣについてのリスト：（００），（１０）
上記の例では、４つの可能なターゲットキャリアＡ、Ｂ、Ｃ、Ｄには、表３の最初の２列に示されるように、ＣＩ値を割り当てることができ得る。ソースキャリアＡについてのリストは、ＣＩ値の００（１６進数）を有するキャリアＡと、ＣＩ値の０１を有するキャリアＢが、ともにソースキャリアＡに関連付けられることを示す。ソースキャリアＢについてのリストは、ＣＩ値の０１を有するキャリアＢと、ＣＩ値の１０を有するキャリアＣが、ともにソースキャリアＢに関連付けられることを示す。ソースキャリアＣについてのリストは、ＣＩ値の００を有するキャリアＡと、ＣＩ値の１０を有するキャリアＣが、ともにソースキャリアＣに関連付けられることを示す。
【００４４】
また別の設計では、各ソースキャリアについてのＣＩマッピングは、そのソースキャリアに関連付けられていないターゲットキャリアのリストを備えることができ得、ターゲットキャリアは、ＣＩ値の共通の定義に基づいて定義される。この設計は、ソースキャリアに関連付けられていないターゲットキャリアの数が、ソースキャリアに関連付けられたターゲットキャリアの数よりも少ない場合、シグナリングオーバヘッドを低減させることができ得る。
【００４５】
第２の設計は、第１の設計よりも低いシグナリングオーバヘッドを有することができ得る。ＣＩ値の共通の定義は、（ｉ）ネットワークエンティティによって定義し、ＵＥに明示的に伝達することができ得、または（ｉｉ）ＵＥに事前に知らせておき、伝達しなくてもよい。例えば、共通のＣＩ定義は、ターゲットキャリアが構成された順序に基づくことができ得、漸進的に大きくなるインデックスを有するターゲットキャリアに、漸進的に大きくなるＣＩ値を割り当てることができ得る。その場合、各ソースキャリアについてのＣＩマッピングは、ビットマップまたはターゲットキャリアのリストによって与えることができ得る。ＣＩ値の共通の定義は、すべてのソースキャリアに対して使用されるので、第２の設計は、ＣＩフィールド用のＮビットを用いて、最大で２N個のターゲットキャリアをサポートすることができ得る。
【００４６】
異なるソースキャリアについてのＣＩマッピングは、他の方法で定義し、伝えることもでき得る。異なるソースキャリアについて、異なるＣＩマッピングを定義することができ得る。異なるＵＥについても、異なるＣＩマッピングを定義することができ得る。ダウンリンク上のクロスキャリア割り当ておよびアップリンク上のクロスキャリア割り当てについても、異なるＣＩマッピングを定義することができ得る。これらの特徴は、各ＵＥを構成する際に、柔軟性を提供することができ得、各ＵＥが各ソースキャリアについて予期できるＣＩ選択肢の数を制限することもでき得る。
【００４７】
１つの設計では、データ伝送のためにＵＥがスケジュールされた各キャリアについて、ダウンリンクグラントまたはアップリンクグラントを送信することができ得る。グラントは、単一のキャリアについてのＤＣＩフォーマットに基づいて送信することができ得、ＵＥがスケジュールされたキャリアを示すＣＩフィールドを含むことができ得る。ＣＩフィールドは、上で説明したように、クロスキャリア割り当てをサポートするために使用することができ得る。ＣＩフィールドは、ダウンリンクキャリアの数がアップリンクキャリアの数と等しくない、非対称のダウンリンクとアップリンク（ＤＬ／ＵＬ）構成をサポートするために使用することもでき得る。例えば、ＣＩフィールドは、１つのダウンリンクキャリアと複数のアップリンクキャリアとを有する、非対称ＤＬ／ＵＬ構成をサポートするために使用することができ得る。
【００４８】
１つの設計では、ＣＩフィールドは、各グラント内に含むことができ得、上で説明したように、リソースが割り当てられたキャリアを示すことができ得る。別の設計では、ＣＩフィールドは、グラント内に含まれてもよく、または含まれなくてもよい。ＣＩフィールドが含まれない場合、グラントは、グラントが送信されたダウンリンクキャリア上のリソースについてのものとすることができ得（ダウンリンクグラントの場合）、またはダウンリンクキャリアに一意的に関連付けられたアップリンクキャリア上のリソースについてのものとすることができ得る（アップリンクグラントの場合）。ＣＩフィールドは、単一のタイプのｅＮＢ（例えばマクロｅＮＢ）を有する同種ネットワーク配備、またはダウンリンクキャリアとアップリンクキャリアの数が等しい対称ＤＬ／ＵＬキャリア構成、またはダウンリンクキャリアの数がアップリンクキャリアの数よりも多い場合など、ある動作シナリオにおいては省略することができ得る。ＣＩフィールドは、異なるタイプのｅＮＢを有する異種ネットワーク配備、または非対称ＤＬ／ＵＬキャリア構成（少なくとも、１つのダウンリンクキャリアが複数のアップリンクキャリアとペアになる場合）、またはクロスキャリア割り当ての場合など、他の動作シナリオにおいて含むことができ得る。クロスキャリア割り当ては、制御の信頼性を高め、セル間干渉調整（ＩＣＩＣ）を可能にするために使用することができ得る。
【００４９】
一般に、各ソースキャリアについてのＣＩマッピングは、任意の方法で定義することができ得、ワイヤレスネットワーク内のスケジューラとＵＥの両方に知られることができ得る。その場合、スケジューラとＵＥは、ＵＥに送信されたグラントのＣＩフィールド内のＣＩ値について同じ解釈を行うことができ得る。
【００５０】
ＣＩフィールド用のビットの数（すなわちＣＩビットの数）は、様々な方法で決定することができ得る。１つの設計では、ＣＩビットの数は、構成可能とすることができ得、１、２、３、または他の何らかの数のビットに等しくすることができ得る。ＣＩビットの数は、データ伝送のために利用可能なキャリアの数に依存することができ得る。１つの設計では、ＣＩビットの数は、ＵＥに対して構成され、より高位のレイヤのシグナリングによって提供することができ得る。ＣＩビットの数は、（ｉ）ダウンリンク上でのデータ伝送のために使用される物理ダウンリンク共有チャネル（ＰＤＳＣＨ）セット、および／または（ｉｉ）アップリンク上でのデータ伝送のために使用される物理アップリンク共有チャネル（ＰＵＳＣＨ）セットに基づいて決定することができ得る。別の設計では、ＣＩビットの数は、セルに特有とすることができ得、セルのキャリア構成に基づいて決定することができ得る。この設計では、ＵＥは、ダウンリンク上でのデータ伝送のために構成されたダウンリンクキャリアの数に基づいて、ダウンリンクグラントにおいていくつのＣＩビットを予期すべきかを決定することができ得る。ＵＥは、アップリンク上でのデータ伝送のために構成されたアップリンクキャリアの数に基づいて、アップリンクグラントにおいていくつのＣＩビットを予期すべきかを決定することができ得る。
【００５１】
上で説明したすべての設計について、ダウンリンクグラント内のＣＩビットの数は、アップリンクグラント内のＣＩビットの数と等しくてもよく、または等しくなくてもよい。各リンクについてのＣＩビットの数は、（ｉ）そのリンクに対してクロスキャリア割り当てがサポートされるかどうかに、および（ｉｉ）リンクのために利用可能なキャリアの数に依存することができ得る。ダウンリンクについてのＣＩビットの数と、アップリンクについてのＣＩビットの数は、それらが異なる場合、ＵＥに伝えることができ得る。
【００５２】
ＣＩビットの構成可能な数は、上で説明した設計のいずれかに基づいて、ダウンリンクとアップリンクの各々について定義することができ得る。例えば、各リンクについて、１つ、２つ、または３つのＣＩビットを使用することができ得、ＵＥに伝達することができ得る。ＣＩビットの構成可能な数は、より大きな複雑さを代償として、ＣＩフィールドについてのオーバヘッドを低減することができ得る。別の設計では、クロスキャリア割り当てがサポートされる各リンクについて、一定数のＣＩビットを使用することができ得る。クロスキャリア割り当てがそのリンク上でサポートされるかどうかを示すために、各リンクについて、単一のビットをＵＥに伝達することができ得る。ＵＥは、（ｉ）クロスキャリア割り当てを用いるＵＥに送信される各グラント内に所定の数のＣＩビット（例えば３つのＣＩビット）を仮定することができ得、または（ｉｉ）クロスキャリア割り当てを用いないＵＥに送信される各グラント内にＣＩビットを仮定しないことができ得る。
【００５３】
図４は、ワイヤレスネットワークにおいてグラントを送信するためのプロセス４００の設計を示している。プロセス４００は、（以下で説明するように）セルによって、または他の何らかのエンティティによって実行することができ得る。セルは、グラントをＵＥに送信するための第１のキャリアを決定することができ得る（ブロック４１２）。セルは、ＵＥにリソースが割り当てられた第２のキャリアを決定することができ得る（ブロック４１４）。セルは、ＵＥにリソースが割り当てられた第２のキャリアと、第１のキャリアについてのＣＩマッピングとに基づいて、グラントのＣＩフィールドを設定することができ得る（ブロック４１６）。１つの設計では、ＣＩマッピングは、リソースを割り当てることができる複数のターゲットキャリアについての複数のＣＩ値を備えることができ得る。セルは、第２のキャリアについての（または第２のキャリアに割り当てられた）ＣＩ値に、グラントのＣＩフィールドを設定することができ得る。セルは、第１のキャリア上でＵＥにグラントを送信することができ得る（ブロック４１８）。
【００５４】
１つの設計では、ＣＩマッピングは、第１のキャリアに特有とすることができ得る。第１のキャリアを含む複数のソースキャリアを、グラントを送信するのに利用可能とすることができ得、各ソースキャリアにＣＩマッピングを１つずつ、複数のＣＩマッピングに関連付けることができ得る。異なるソースキャリアは、異なるＣＩマッピングに関連付けることができ得る。別の設計では、ＣＩマッピングは、複数のソースキャリアに適用可能とすることができ得る。
【００５５】
１つの設計では、第１のキャリアについてのＣＩマッピングは、ＵＥに特有とすることができ得、異なるＵＥは、第１のキャリアについて異なるＣＩマッピングを有することができ得る。別の設計では、第１のキャリアについてのＣＩマッピングは、セルに特有とすることができ得、異なるセルは、第１のキャリアについて異なるＣＩマッピングを有することができ得る。セルは、第１のキャリアについてのＣＩマッピングを伝えるシグナリングを送信することができ得る。セルは、ＵＥに特定的にシグナリングを送信することができ得（例えばＵＥ特有のＣＩマッピングの場合）、またはすべてのＵＥにシグナリングをブロードキャストすることができ得る（例えばセル特有のＣＩマッピングの場合）。
【００５６】
１つの設計では、複数のダウンリンクキャリアを、ダウンリンクグラントを送信するのに利用可能とすることができ得、各ダウンリンクキャリアにＣＩマッピングを１つずつ、複数のＣＩマッピングに関連付けることができ得る。この設計では、各ダウンリンクキャリアについてのＣＩマッピングは、ダウンリンクキャリア上で送信されたダウンリンクグラントによってリソースを割り当てることができる少なくとも１つのダウンリンクキャリアを示すことができ得る。別の設計では、複数のダウンリンクキャリアを、アップリンクグラントを送信するのに利用可能とすることができ得、各ダウンリンクキャリアにＣＩマッピングを１つずつ、複数のＣＩマッピングに関連付けることができ得る。この設計では、各ダウンリンクキャリアについてのＣＩマッピングは、ダウンリンクキャリア上で送信されたアップリンクグラントによってリソースを割り当てることができる少なくとも１つのアップリンクキャリアを示すことができ得る。
【００５７】
セルは、第２のグラントをＵＥに送信するための第３のキャリアを決定することができ得る。セルは、ＵＥにリソースが割り当てられた第４のキャリアを決定することができ得る。セルは、ＵＥにリソースが割り当てられた第４のキャリアと、第３のキャリアについての第２のＣＩマッピングとに基づいて、第２のグラントのＣＩフィールドを設定することができ得る。セルは、第３のキャリア上でＵＥに第２のグラントを送信することができ得る。第１のキャリアについてのＣＩマッピングは、第２のキャリアを含むことができ得る少なくとも１つのターゲットキャリアからなる第１のグループをカバーすることができ得る。第３のキャリアについての第２のＣＩマッピングは、第４のキャリアを含むことができ得る少なくとも１つのターゲットキャリアからなる第２のグループをカバーすることができ得る。ターゲットキャリアからなる第１のグループは、ターゲットキャリアからなる第２のグループとは異なることができ得る。第１のグループと第２のグループは、同じ数または異なる数のターゲットキャリアを含むこともでき得る。
【００５８】
図５は、ワイヤレスネットワークにおいてグラントを受信するためのプロセス５００の設計を示している。プロセス５００は、（以下で説明するように）ＵＥによって、または他の何らかのエンティティによって実行することができ得る。ＵＥは、第１のキャリア上でＣＩフィールドを備えるグラントを受信することができ得る（ブロック５１２）。ＵＥは、グラントのＣＩフィールドと、第１のキャリアについてのＣＩマッピングとに基づいて、ＵＥにリソースが割り当てられた第２のキャリアを決定することができ得る（ブロック５１４）。１つの設計では、ＣＩマッピングは、リソースを割り当てることができる複数のターゲットキャリアについての複数のＣＩ値を備えることができ得る。ＵＥは、グラントのＣＩフィールド内のＣＩ値に基づいて、第２のキャリアを決定することができ得る。
【００５９】
１つの設計では、ＣＩマッピングは、第１のキャリアに特有とすることができ得る。第１のキャリアを含む複数のソースキャリアを、グラントを送信するのに利用可能とすることができ得、各ソースキャリアにＣＩマッピングを１つずつ、複数のＣＩマッピングに関連付けることができ得る。異なるソースキャリアは、異なるＣＩマッピングに関連付けることができ得る。１つの設計では、各ソースキャリアについてのＣＩマッピングは、リソースを割り当てることができる複数のターゲットキャリアのサブセットをカバーすることができ得る。この設計は、例えば、表２に示されるように、ＣＩフィールド用のＮビットだけを用いるＣＩマッピングによって、２N個よりも多いターゲットキャリアをカバーすることを可能とすることができ得る。別の設計では、各ソースキャリアについてのＣＩマッピングは、複数のターゲットキャリアのすべてまたはサブセットをカバーすることができ得る。
【００６０】
１つの設計では、各ソースキャリアについてのＣＩマッピングは、同じ帯域幅を有する少なくとも１つのターゲットキャリアをカバーすることができ得る。別の設計では、各ソースキャリアについてのＣＩマッピングは、ＵＥが同じ伝送モードを用いて構成された少なくとも１つのターゲットキャリアをカバーすることができ得る。ＵＥは、リソースを割り当てることができる複数のターゲットキャリアの各々について、複数の伝送モードの１つを用いて構成することができ得る。また別の設計では、各ソースキャリアについてのＣＩマッピングは、ＵＥが同じグラントサイズを有する少なくとも１つのターゲットキャリアをカバーすることができ得る。ＵＥは、リソースを割り当てることができる複数のターゲットキャリアの各々について、特定のグラントサイズを有することができ得る。各ターゲットキャリアについてのグラントサイズは、ターゲットキャリアの帯域幅、ターゲットキャリア上でのＵＥのために構成された伝送モード、および／または他の要因に基づいて、決定することができ得る。これらの設計は、ＵＥの復号の複雑さを減少させることができ得る。
【００６１】
１つの設計では、第１のキャリアについてのＣＩマッピングは、ＵＥに特有とすることができ得、異なるＵＥは、第１のキャリアについて異なるＣＩマッピングを有することができ得る。別の設計では、第１のキャリアについてのＣＩマッピングは、ＵＥにグラントを送信するセルに特有とすることができ得、異なるセルは、第１のキャリアについて異なるＣＩマッピングを有することができ得る。
【００６２】
１つの設計では、ＣＩマッピングは、ダウンリンク用とすることができ得る。グラントは、ダウンリンク上でのデータ伝送のためにＵＥにリソースを割り当てるダウンリンクグラントを備えることができ得る。ダウンリンク上でのクロスキャリア割り当ての場合、第１のキャリアと第２のキャリアは、異なるダウンリンクキャリアとすることができ得る。別の設計では、ＣＩマッピングは、アップリンク用とすることができ得る。グラントは、アップリンク上でのデータ伝送のためにＵＥにリソースを割り当てるアップリンクグラントを備えることができ得る。第１のキャリアは、ダウンリンクキャリアとすることができ得、第２のキャリアは、アップリンクキャリアとすることができ得る。アップリンク上でのクロスキャリア割り当ての場合、アップリンクキャリアは、ダウンリンクキャリアとペアにならないこともある。
【００６３】
１つの設計では、ＵＥは、第３のキャリア上でＣＩフィールドを備える第２のグラントを受信することができ得る。ＵＥは、第２のグラントのＣＩフィールドと、第３のキャリアについての第２のＣＩマッピングとに基づいて、ＵＥにリソースが割り当てられた第４のキャリアを決定することができ得る。第１のキャリアについてのＣＩマッピングは、第２のキャリアを含む少なくとも１つのターゲットキャリアからなる第１のグループをカバーすることができ得る。第３のキャリアについての第２のＣＩマッピングは、第４のキャリアを含む少なくとも１つのターゲットキャリアからなる第２のグループをカバーすることができ得る。ターゲットキャリアからなる第１のグループは、ターゲットキャリアからなる第２のグループとは異なることができ得る。第１のグループと第２のグループは、同じ数または異なる数のターゲットキャリアを含むこともでき得る。
【００６４】
１つの設計では、ＵＥは、第１のキャリアについてのＣＩマッピングを伝えるシグナリングを受信することができ得る。１つの設計では、ＣＩマッピングは、リソースを割り当てることができる複数のターゲットキャリアについての複数のＣＩ値を備えることができ得る。シグナリングは、各ＣＩ値に対するターゲットキャリアを伝えることができ得る。別の設計では、シグナリングは、ＣＩマッピングについてのビットマップを伝えることができ得る。ビットマップは、複数のターゲットキャリアの各々がＣＩマッピング内に含まれるかどうかを示すことができ得る。また別の設計では、シグナリングは、ＣＩマッピング内に含まれるターゲットキャリアのリストを伝えることができ得る。ＣＩマッピングは、他の方法でも伝達することができ得る。
【００６５】
図６は、ワイヤレスネットワークにおいて制御メッセージを送信するためのプロセス６００の設計を示している。プロセス６００は、（以下で説明するように）セルによって、または他の何らかのエンティティによって実行することができ得る。セルは、リソースグラント情報、もしくはＡＣＫ情報、もしくはＣＱＩ情報、もしくはチャネル状態情報、もしくは電力制御情報、もしくは他の何らかの情報、またはそれらの組み合わせを伝える制御メッセージを生成することができ得る（ブロック６１２）。セルは、制御メッセージを送信するための第１のキャリアを決定することができ得る（ブロック６１４）。セルは、制御メッセージが適用される第２のキャリアを決定することができ得る（ブロック６１６）。セルは、制御メッセージが適用される第２のキャリアと、第１のキャリアについてのＣＩマッピングとに基づいて、制御メッセージのＣＩフィールドを設定することができ得る（ブロック６１８）。セルは、第１のキャリア上で制御メッセージを送信することができ得る（ブロック６２０）。
【００６６】
１つの設計では、ＣＩマッピングは、第１のキャリアに特有とすることができ得る。複数のソースキャリアを、制御メッセージを送信するのに利用可能とすることができ得、各ソースキャリアにＣＩマッピングを１つずつ、複数のＣＩマッピングに関連付けることができ得る。異なるソースキャリアは、異なるＣＩマッピングに関連付けることができ得る。１つの設計では、ＣＩマッピングは、制御メッセージが送信されるＵＥに特有とすることができ得、異なるＵＥは、第１のキャリアについての異なるＣＩマッピングを有することができ得る。別の設計では、ＣＩマッピングは、制御メッセージを送信するセルに特有とすることができ得、異なるセルは、第１のキャリアについての異なるＣＩマッピングを有することができ得る。
【００６７】
図７は、ワイヤレスネットワークにおいて制御メッセージを受信するためのプロセス７００の設計を示している。プロセス７００は、（以下で説明するように）ＵＥによって、または他の何らかのエンティティによって実行することができ得る。ＵＥは、第１のキャリア上でＣＩフィールドを備える制御メッセージを受信することができ得る（ブロック７１２）。ＵＥは、制御メッセージのＣＩフィールドと、第１のキャリアについてのＣＩマッピングとに基づいて、制御メッセージが適用される第２のキャリアを決定することができ得る（ブロック７１４）。ＵＥは、リソースグラント情報、もしくはＡＣＫ情報、もしくはＣＱＩ情報、もしくはチャネル状態情報、もしくは電力制御情報、もしくは他の何らかの情報、またはそれらの組み合わせを制御メッセージから獲得することができ得る（ブロック７１６）。
【００６８】
１つの設計では、ＣＩマッピングは、第１のキャリアに特有とすることができ得る。１つの設計では、ＣＩマッピングは、ＵＥに特有とすることができ得る。別の設計では、ＣＩマッピングは、制御メッセージを送信するセルに特有とすることができ得る。
【００６９】
図８は、図１の基地局／ｅＮＢの１つおよびＵＥの１つとすることができ得る、基地局／ｅＮＢ  １１０およびＵＥ  １２０の設計のブロック図である。基地局１１０は、Ｔ個のアンテナ８３４ａから８３４ｔを備えることができ得、ＵＥ  １２０は、Ｒ個のアンテナ８５２ａから８５２ｒを備えることができ得、一般に、Ｔ≧１、Ｒ≧１である。
【００７０】
基地局１１０では、送信プロセッサ８２０は、データソース８１２から１つまたは複数のＵＥのためのデータを受け取り、各ＵＥのためのデータを、そのＵＥのために選択された１つまたは複数の変調方式および符号化方式に基づいて処理（例えば符号化および変調）し、すべてのＵＥのためのデータシンボルを提供することができ得る。送信プロセッサ８２０は、（例えば、ダウンリンクグラント、アップリンクグラント、制御メッセージ、ＣＩマッピングなどについての）制御情報を処理し、制御シンボルを提供することもでき得る。プロセッサ８２０は、参照信号のための参照シンボルを生成することもでき得る。送信（ＴＸ）複数入力複数出力（ＭＩＭＯ）プロセッサ８３０は、妥当な場合は、データシンボル、制御シンボル、および／または参照シンボルに対して空間処理（例えばプリコーディング）を実行することができ得、Ｔ個の出力シンボルストリームをＴ個の変調器（ＭＯＤ）８３２ａから８３２ｔに提供することができ得る。各変調器８３２は、出力サンプルストリームを獲得するために、それぞれの出力シンボルストリームを処理することができ得る（例えばＯＦＤＭなどの場合）。各変調器８３２は、ダウンリンク信号を獲得するために、出力サンプルストリームをさらに処理（例えば、アナログ変換、増幅、フィルタリング、およびアップコンバート）することができ得る。変調器８３２ａから８３２ｔからのＴ個のダウンリンク信号は、それぞれＴ個のアンテナ８３４ａから８３４ｔを介して送信することができ得る。
【００７１】
ＵＥ  １２０では、アンテナ８５２ａから８５２ｒは、基地局１１０および／または他の基地局からダウンリンク信号を受信することができ得、受信信号をそれぞれ復調器（ＤＥＭＯＤ）８５４ａから８５４ｒに提供することができ得る。各復調器８５４は、入力サンプルを獲得するために、受信信号を調整（例えば、フィルタリング、増幅、ダウンコンバート、およびデジタル化）することができ得る。各復調器８５４は、受信シンボルを獲得するために、入力サンプルをさらに処理することができ得る（例えばＯＦＤＭなどの場合）。ＭＩＭＯ検出器８５６は、Ｒ個のすべての復調器８５４ａから８５４ｒから受信シンボルを獲得し、妥当な場合は、受信シンボルに対してＭＩＭＯ検出を実行し、検出シンボルを提供することができ得る。受信プロセッサ８５８は、検出シンボルを処理（例えば、復調および復号）し、ＵＥ  １２０のための復号されたデータをデータシンク８６０に提供し、復号された制御情報をコントローラ／プロセッサ８８０に提供することができ得る。
【００７２】
アップリンク上では、ＵＥ  １２０において、送信プロセッサ８６４は、データソース８６２からデータを、コントローラ／プロセッサ８８０から制御情報を受け取り、処理することができ得る。プロセッサ８６４は、１つまたは複数の参照信号のための参照シンボルを生成することもでき得る。送信プロセッサ８６４からのシンボルは、妥当な場合は、ＴＸ  ＭＩＭＯプロセッサ８６６によってプリコーディングし、変調器８５４ａから８５４ｒによってさらに処理し（例えばＳＣ−ＦＤＭ、ＯＦＤＭなどの場合）、基地局１１０に送信することができ得る。基地局１１０では、ＵＥ  １２０および他のＵＥからのアップリンク信号は、アンテナ８３４によって受信され、復調器８３２によって処理され、妥当な場合は、ＭＩＭＯ検出器８３６によって検出され、復号されたＵＥ  １２０によって送信されたデータおよび制御情報を獲得するために、受信プロセッサ８３８によってさらに処理することができ得る。プロセッサ８３８は、復号されたデータをデータシンク８３９に、復号された制御情報をコントローラ／プロセッサ８４０に提供することができ得る。
【００７３】
コントローラ／プロセッサ８４０、８８０は、それぞれ基地局１１０およびＵＥ  １２０における動作を管理することができ得る。プロセッサ８４０ならびに／または基地局１１０の他のプロセッサおよびモジュールは、図４のプロセス４００、図６のプロセス６００、および／または本明細書で説明した技法のための他のプロセスを実行し、または管理することができ得る。プロセッサ８８０ならびに／またはＵＥ  １２０の他のプロセッサおよびモジュールは、図５のプロセス５００、図７のプロセス７００、および／または本明細書で説明した技法のための他のプロセスを実行し、または管理することができ得る。メモリ８４２、８８２は、それぞれ、基地局１１０およびＵＥ  １２０のためのデータおよびプログラムコードを記憶することができ得る。スケジューラ８４４は、ダウンリンクおよび／またはアップリンク上のデータ伝送のためにＵＥをスケジュールすることができ得、スケジュールされたＵＥにリソースを割り当てることができ得る。
【００７４】
１つの構成では、ワイヤレス通信のための装置１１０は、グラントをＵＥに送信するための第１のキャリアを決定するための手段と、ＵＥにリソースが割り当てられた第２のキャリアを決定するための手段と、ＵＥにリソースが割り当てられた第２のキャリアと、第１のキャリアについてのＣＩマッピングとに基づいて、グラントのＣＩフィールドを設定するための手段と、第１のキャリア上でグラントをＵＥに送信するための手段とを含むことができ得る。
【００７５】
別の構成では、ワイヤレス通信のための装置１２０は、ＵＥによって第１のキャリア上でＣＩフィールドを備えるグラントを受信するための手段と、グラントのＣＩフィールドと、第１のキャリアについてのＣＩマッピングとに基づいて、ＵＥにリソースが割り当てられた第２のキャリアを決定するための手段とを含むことができ得る。
【００７６】
また別の構成では、ワイヤレス通信のための装置１１０は、リソースグラント情報、もしくはＡＣＫ情報、もしくはＣＱＩ情報、もしくはチャネル状態情報、もしくは電力制御情報、もしくは他の何らかの情報、またはそれらの組み合わせを伝える制御メッセージを生成するための手段と、制御メッセージを送信するための第１のキャリアを決定するための手段と、制御メッセージが適用される第２のキャリアを決定するための手段と、制御メッセージが適用される第２のキャリアと、第１のキャリアについてのＣＩマッピングとに基づいて、制御メッセージのＣＩフィールドを設定するための手段と、第１のキャリア上で制御メッセージを送信するための手段とを含むことができ得る。
【００７７】
また別の構成では、ワイヤレス通信のための装置１２０は、第１のキャリア上でＣＩフィールドを備える制御メッセージを受信するための手段と、制御メッセージのＣＩフィールドと、第１のキャリアについてのＣＩマッピングとに基づいて、制御メッセージが適用される第２のキャリアを決定するための手段と、リソースグラント情報、もしくはＡＣＫ情報、もしくはＣＱＩ情報、もしくはチャネル状態情報、もしくは電力制御情報、もしくは他の何らかの情報、またはそれらの組み合わせを制御メッセージから獲得するための手段とを含むことができ得る。
【００７８】
一態様では、上記の手段は、基地局１１０におけるプロセッサ８２０、８３８、および／もしくは８４０、ならびに／またはＵＥ  １２０におけるプロセッサ８５８、８６４、および／もしくは８８０とすることができ得、それらは、上記の手段によって列挙された機能を実行するように構成することができ得る。別の態様において、上記の手段は、上記の手段によって列挙された機能を実行するように構成された、１つもしくは複数のモジュールまたは任意の装置とすることができ得る。
【００７９】
情報および信号は、様々な異なる技術および技法のいずれかを使用して表すことができ得ることを、当業者であれば理解されよう。例えば、上記の説明全体にわたって言及されることがあるデータ、命令、コマンド、情報、信号、ビット、シンボル、およびチップは、電圧、電流、電磁波、磁場もしくは磁気粒子、光学場もしくは光学粒子、またはそれらの任意の組み合わせによって表すことができ得る。
【００８０】
本明細書の開示に関連して説明した様々な例示的な論理ブロック、モジュール、回路、およびアルゴリズムステップは、電子ハードウェア、コンピュータソフトウェア、または両方の組み合わせとして実施でき得ることを、当業者であればさらに理解されよう。ハードウェアとソフトウェアのこの交換可能性を明らかに示すために、様々な例示的なコンポーネント、ブロック、モジュール、回路、およびステップは、上では一般にそれらの機能に関して説明された。そのような機能をハードウェアとして実施するか、それともソフトウェアとして実施するかは、特定のアプリケーション、およびシステム全体に課された設計上の制約に依存する。当業者は、特定のアプリケーション毎に様々な方法で、説明した機能を実施することができ得るが、そのような実施の決定は、本開示の範囲からの逸脱を引き起こすと解釈されるべきではない。
【００８１】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラム可能論理デバイス、個別ゲートもしくはトランジスタ論理、個別ハードウェアコンポーネント、または本明細書で説明した機能を実行するように設計されたそれらの任意の組み合わせを用いて実施または実行することができ得る。汎用プロセッサは、マイクロプロセッサとすることができ得るが、代替として、プロセッサは、任意の従来のプロセッサ、コントローラ、マイクロコントローラ、または状態機械とすることができ得る。プロセッサは、例えば、ＤＳＰとマイクロプロセッサの組み合わせ、複数のマイクロプロセッサ、ＤＳＰコアと連携する１つもしくは複数のマイクロプロセッサ、または他の任意のそのような構成など、コンピューティングデバイスの組み合わせとして実施することもでき得る。
【００８２】
本明細書の開示に関連して説明した方法またはアルゴリズムのステップは、ハードウェアで直接的に、プロセッサによって実行されるソフトウェアモジュールで、または２つの組み合わせで実施することができ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野で知られた他の任意の形態の記憶媒体内に存在することができ得る。例示的な記憶媒体は、プロセッサが記憶媒体から情報を読み取り、記憶媒体に情報を書き込むことができるように、プロセッサに結合される。代替として、記憶媒体は、プロセッサに統合することができ得る。プロセッサと記憶媒体は、ＡＳＩＣ内に存在することができ得る。ＡＳＩＣは、ユーザ端末内に存在することができ得る。代替として、プロセッサと記憶媒体は、ユーザ端末内の個別コンポーネントとして存在することができ得る。
【００８３】
１つまたは複数の例示的な設計では、説明した機能は、ハードウェア、ソフトウェア、ファームウェア、またはそれらの任意の組み合わせで実施することができ得る。ソフトウェアで実施する場合、機能は、１つまたは複数の命令またはコードとして、コンピュータ可読媒体上に記憶すること、またはコンピュータ可読媒体を介して送信することができ得る。コンピュータ可読媒体は、コンピュータ記憶媒体と、１つの場所から別の場所へのコンピュータプログラムの転送を円滑化する任意の媒体を含む通信媒体の両方を含む。記憶媒体は、汎用または専用コンピュータによってアクセスできる任意の利用可能な媒体とすることができ得る。限定することなく、例を挙げると、そのようなコンピュータ可読媒体は、ＲＡＭ、ＲＯＭ、ＥＥＰＲＯＭ、ＣＤ−ＲＯＭまたは他の光ディスク記憶、磁気ディスク記憶または他の磁気記憶デバイス、あるいは所望のプログラムコード手段を命令またはデータ構造の形式で搬送または記憶するために使用でき、汎用もしくは専用コンピュータまたは汎用もしくは専用プロセッサによってアクセスできる他の任意の媒体を備えることができ得る。また、任意の接続も、コンピュータ可読媒体と呼ばれるにふさわしい。例えば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信された場合、同軸ケーブル、光ファイバケーブル、ツイストペア、ＤＳＬ、または赤外線、無線、およびマイクロ波などのワイヤレス技術は、媒体の定義に含まれる。本明細書で使用される場合、ディスク（ｄｉｓｋおよびｄｉｓｃ）は、コンパクトディスク（ＣＤ）、レーザディスク、光ディスク、デジタル多用途ディスク（ＤＶＤ）、フロッピー（登録商標）ディスク、およびブルーレイ（登録商標）ディスクを含み、ｄｉｓｋは、通常磁気的にデータを再生するが、ｄｉｓｃは、レーザを用いて光学的にデータを再生する。上記のものの組み合わせも、コンピュータ可読媒体の範囲内に含まれるべきである。
【００８４】
本開示のこれまでの説明は、当業者が、本開示を作成または使用できるように提供された。本開示に対する様々な変更が、当業者には容易に明らかとなり、本明細書で定義された一般的な原理は、本開示の主旨または範囲から逸脱することなく、他の変形に適用することができ得る。したがって、本開示を、本明細書で説明した例および設計に限定することは意図しておらず、本開示には、本明細書で開示した原理および新規な特徴に矛盾しない最も広い範囲が与えられるべきである。
以下に本件出願当初の特許請求の範囲を付記する。
［Ｃ１］
ワイヤレス通信のための方法であって、
グラントをユーザ機器（ＵＥ）に送信するための第１のキャリアを決定することと、
前記ＵＥにリソースが割り当てられた第２のキャリアを決定することと、
前記ＵＥにリソースが割り当てられた前記第２のキャリアと、前記第１のキャリアについてのキャリアインジケータ（ＣＩ）マッピングとに基づいて、前記グラントのＣＩフィールドを設定することと、
前記第１のキャリア上で前記ＵＥに前記グラントを送信することと
を備える方法。
［Ｃ２］
前記ＣＩマッピングが、前記第１のキャリアに特有であり、前記第１のキャリアを含む複数のソースキャリアが、グラントを送信するのに利用可能であり、各ソースキャリアにＣＩマッピングを１つずつ、複数のＣＩマッピングに関連付けられる、［Ｃ１］に記載の方法。
［Ｃ３］
前記第１のキャリアについての前記ＣＩマッピングが、前記ＵＥに特有であり、異なるＵＥは、前記第１のキャリアについて異なるＣＩマッピングを有することができる、［Ｃ１］に記載の方法。
［Ｃ４］
前記第１のキャリアについての前記ＣＩマッピングが、前記ＵＥに前記グラントを送信するセルに特有であり、異なるセルは、前記第１のキャリアについて異なるＣＩマッピングを有することができる、［Ｃ１］に記載の方法。
［Ｃ５］
前記ＣＩマッピングが、リソースを割り当てることができる複数のターゲットキャリアについての複数のＣＩ値を備え、前記グラントの前記ＣＩフィールドを前記設定することが、前記第２のキャリアについてのＣＩ値を前記グラントの前記ＣＩフィールドに設定することを備える、［Ｃ１］に記載の方法。
［Ｃ６］
複数のダウンリンクキャリアが、ダウンリンクグラントを送信するのに利用可能であり、各ダウンリンクキャリアにＣＩマッピングを１つずつ、複数のＣＩマッピングに関連付けられ、各ダウンリンクキャリアについての前記ＣＩマッピングが、前記ダウンリンクキャリア上で送信されたダウンリンクグラントによってリソースを割り当てることができる少なくとも１つのダウンリンクキャリアを含む、［Ｃ１］に記載の方法。
［Ｃ７］
複数のダウンリンクキャリアが、アップリンクグラントを送信するのに利用可能であり、各ダウンリンクキャリアにＣＩマッピングを１つずつ、複数のＣＩマッピングに関連付けられ、各ダウンリンクキャリアについての前記ＣＩマッピングが、前記ダウンリンクキャリア上で送信されたアップリンクグラントによってリソースを割り当てることができる少なくとも１つのアップリンクキャリアを含む、［Ｃ１］に記載の方法。
［Ｃ８］
第２のグラントを前記ＵＥに送信するための第３のキャリアを決定することと、
前記ＵＥにリソースが割り当てられた第４のキャリアを決定することと、
前記ＵＥにリソースが割り当てられた前記第４のキャリアと、前記第３のキャリアについての第２のＣＩマッピングとに基づいて、前記第２のグラントの前記ＣＩフィールドを設定することと、
前記第３のキャリア上で前記ＵＥに前記第２のグラントを送信することと
をさらに備える、［Ｃ１］に記載の方法。
［Ｃ９］
前記第１のキャリアについての前記ＣＩマッピングが、前記第２のキャリアを含む少なくとも１つのターゲットキャリアからなる第１のグループをカバーし、前記第３のキャリアについての前記第２のＣＩマッピングが、前記第４のキャリアを含む少なくとも１つのターゲットキャリアからなる第２のグループをカバーし、少なくとも１つのターゲットキャリアからなる前記第１のグループが、少なくとも１つのターゲットキャリアからなる前記第２のグループとは異なる、［Ｃ８］に記載の方法。
［Ｃ１０］
前記第１のキャリアについての前記ＣＩマッピングを伝えるシグナリングを送信すること
をさらに備える、［Ｃ１］に記載の方法。
［Ｃ１１］
ワイヤレス通信のための装置であって、
グラントをユーザ機器（ＵＥ）に送信するための第１のキャリアを決定するための手段と、
前記ＵＥにリソースが割り当てられた第２のキャリアを決定するための手段と、
前記ＵＥにリソースが割り当てられた前記第２のキャリアと、前記第１のキャリアについてのキャリアインジケータ（ＣＩ）マッピングとに基づいて、前記グラントのＣＩフィールドを設定するための手段と、
前記第１のキャリア上で前記ＵＥに前記グラントを送信するための手段と
を備える装置。
［Ｃ１２］
前記ＣＩマッピングが、前記第１のキャリアに特有であり、前記第１のキャリアを含む複数のソースキャリアが、グラントを送信するのに利用可能であり、各ソースキャリアにＣＩマッピングを１つずつ、複数のＣＩマッピングに関連付けられる、［Ｃ１１］に記載の装置。
［Ｃ１３］
前記第１のキャリアについての前記ＣＩマッピングが、前記ＵＥに特有であり、異なるＵＥは、前記第１のキャリアについて異なるＣＩマッピングを有することができる、［Ｃ１１］に記載の装置。
［Ｃ１４］
複数のダウンリンクキャリアが、ダウンリンクグラントを送信するのに利用可能であり、各ダウンリンクキャリアにＣＩマッピングを１つずつ、複数のＣＩマッピングに関連付けられ、各ダウンリンクキャリアについての前記ＣＩマッピングが、前記ダウンリンクキャリア上で送信されたダウンリンクグラントによってリソースを割り当てることができる少なくとも１つのダウンリンクキャリアを含む、［Ｃ１１］に記載の装置。
［Ｃ１５］
複数のダウンリンクキャリアが、アップリンクグラントを送信するのに利用可能であり、各ダウンリンクキャリアにＣＩマッピングを１つずつ、複数のＣＩマッピングに関連付けられ、各ダウンリンクキャリアについての前記ＣＩマッピングが、前記ダウンリンクキャリア上で送信されたアップリンクグラントによってリソースを割り当てることができる少なくとも１つのアップリンクキャリアを含む、［Ｃ１１］に記載の装置。
［Ｃ１６］
ワイヤレス通信のための装置であって、
グラントをユーザ機器（ＵＥ）に送信するための第１のキャリアを決定し、前記ＵＥにリソースが割り当てられた第２のキャリアを決定し、前記ＵＥにリソースが割り当てられた前記第２のキャリアと、前記第１のキャリアについてのキャリアインジケータ（ＣＩ）マッピングとに基づいて、前記グラントのＣＩフィールドを設定し、前記第１のキャリア上で前記ＵＥに前記グラントを送信するように構成された、少なくとも１つのプロセッサ
を備える装置。
［Ｃ１７］
前記ＣＩマッピングが、前記第１のキャリアに特有であり、前記第１のキャリアを含む複数のソースキャリアが、グラントを送信するのに利用可能であり、各ソースキャリアにＣＩマッピングを１つずつ、複数のＣＩマッピングに関連付けられる、［Ｃ１６］に記載の装置。
［Ｃ１８］
前記第１のキャリアについての前記ＣＩマッピングが、前記ＵＥに特有であり、異なるＵＥは、前記第１のキャリアについて異なるＣＩマッピングを有することができる、［Ｃ１６］に記載の装置。
［Ｃ１９］
複数のダウンリンクキャリアが、ダウンリンクグラントを送信するのに利用可能であり、各ダウンリンクキャリアにＣＩマッピングを１つずつ、複数のＣＩマッピングに関連付けられ、各ダウンリンクキャリアについての前記ＣＩマッピングが、前記ダウンリンクキャリア上で送信されたダウンリンクグラントによってリソースを割り当てることができる少なくとも１つのダウンリンクキャリアを含む、［Ｃ１６］に記載の装置。
［Ｃ２０］
複数のダウンリンクキャリアが、アップリンクグラントを送信するのに利用可能であり、各ダウンリンクキャリアにＣＩマッピングを１つずつ、複数のＣＩマッピングに関連付けられ、各ダウンリンクキャリアについての前記ＣＩマッピングが、前記ダウンリンクキャリア上で送信されたアップリンクグラントによってリソースを割り当てることができる少なくとも１つのアップリンクキャリアを含む、［Ｃ１６］に記載の装置。
［Ｃ２１］
非一時的コンピュータ可読媒体であって、
少なくとも１つのプロセッサに、グラントをユーザ機器（ＵＥ）に送信するための第１のキャリアを決定させるためのコードと、
前記少なくとも１つのプロセッサに、前記ＵＥにリソースが割り当てられた第２のキャリアを決定させるためのコードと、
前記少なくとも１つのプロセッサに、前記ＵＥにリソースが割り当てられた前記第２のキャリアと、前記第１のキャリアについてのキャリアインジケータ（ＣＩ）マッピングとに基づいて、前記グラントのＣＩフィールドを設定させるためのコードと、
前記少なくとも１つのプロセッサに、前記第１のキャリア上で前記ＵＥに前記グラントを送信させるためのコードと
を備える非一時的コンピュータ可読媒体
を備えるコンピュータプログラム製品。
［Ｃ２２］
ワイヤレス通信のための方法であって、
ユーザ機器（ＵＥ）によって第１のキャリア上でキャリアインジケータ（ＣＩ）フィールドを備えるグラントを受信することと、
前記グラントの前記ＣＩフィールドと、前記第１のキャリアについてのＣＩマッピングとに基づいて、前記ＵＥにリソースが割り当てられた第２のキャリアを決定することと
を備える方法。
［Ｃ２３］
前記ＣＩマッピングが、前記第１のキャリアに特有であり、前記第１のキャリアを含む複数のソースキャリアが、グラントを送信するのに利用可能であり、各ソースキャリアにＣＩマッピングを１つずつ、複数のＣＩマッピングに関連付けられる、［Ｃ２２］に記載の方法。
［Ｃ２４］
各ソースキャリアについての前記ＣＩマッピングが、リソースを割り当てることができる複数のターゲットキャリアのサブセットをカバーする、［Ｃ２３］に記載の方法。
［Ｃ２５］
各ソースキャリアについての前記ＣＩマッピングが、同じ帯域幅を有する少なくとも１つのターゲットキャリアをカバーする、［Ｃ２３］に記載の方法。
［Ｃ２６］
前記ＵＥが、リソースを割り当てることができる複数のターゲットキャリアの各々について、複数の伝送モードの１つを用いて構成され、各ソースキャリアについての前記ＣＩマッピングが、前記ＵＥが同じ伝送モードを用いて構成された、少なくとも１つのターゲットキャリアをカバーする、［Ｃ２３］に記載の方法。
［Ｃ２７］
前記ＵＥが、リソースを割り当てることができる複数のターゲットキャリアの各々について、特定のグラントサイズを有し、各ソースキャリアについての前記ＣＩマッピングが、前記ＵＥが同じグラントサイズを有する、少なくとも１つのターゲットキャリアをカバーする、［Ｃ２３］に記載の方法。
［Ｃ２８］
各ターゲットキャリアについての前記グラントサイズが、前記ターゲットキャリアの帯域幅、もしくは前記ターゲットキャリア上での前記ＵＥのために構成された伝送モード、またはその両方に基づいて決定される、［Ｃ２７］に記載の方法。
［Ｃ２９］
前記第１のキャリアについての前記ＣＩマッピングが、前記ＵＥに特有であり、異なるＵＥは、前記第１のキャリアについて異なるＣＩマッピングを有することができる、［Ｃ２２］に記載の方法。
［Ｃ３０］
前記第１のキャリアについての前記ＣＩマッピングが、前記ＵＥに前記グラントを送信するセルに特有であり、異なるセルは、前記第１のキャリアについて異なるＣＩマッピングを有することができる、［Ｃ２２］に記載の方法。
［Ｃ３１］
前記ＣＩマッピングが、リソースを割り当てることができる複数のターゲットキャリアについての複数のＣＩ値を備え、前記第２のキャリアを決定することが、前記グラントの前記ＣＩフィールド内のＣＩ値に基づいて、前記第２のキャリアを決定することを備える、
［Ｃ２２］に記載の方法。
［Ｃ３２］
前記グラントが、ダウンリンク上でのデータ伝送のためにリソースを割り当てるダウンリンクグラントを備え、前記第１のキャリアと前記第２のキャリアが、異なるダウンリンクキャリアである、［Ｃ２２］に記載の方法。
［Ｃ３３］
前記グラントが、アップリンク上でのデータ伝送のためにリソースを割り当てるアップリンクグラントを備え、前記第１のキャリアが、ダウンリンクキャリアであり、前記第２のキャリアが、アップリンクキャリアである、［Ｃ２２］に記載の方法。
［Ｃ３４］
第３のキャリア上で前記ＣＩフィールドを備える第２のグラントを受信することと、
前記第２のグラントの前記ＣＩフィールドと、前記第３のキャリアについての第２のＣＩマッピングとに基づいて、前記ＵＥにリソースが割り当てられた第４のキャリアを決定することと
をさらに備える、［Ｃ２２］に記載の方法。
［Ｃ３５］
前記第１のキャリアについての前記ＣＩマッピングが、前記第２のキャリアを含む少なくとも１つのターゲットキャリアからなる第１のグループをカバーし、前記第３のキャリアについての前記第２のＣＩマッピングが、前記第４のキャリアを含む少なくとも１つのターゲットキャリアからなる第２のグループをカバーし、少なくとも１つのターゲットキャリアからなる前記第１のグループが、少なくとも１つのターゲットキャリアからなる前記第２のグループとは異なる、［Ｃ３４］に記載の方法。
［Ｃ３６］
前記第１のグループと前記第２のグループが、異なる数のターゲットキャリアを含む、［Ｃ３５］に記載の方法。
［Ｃ３７］
前記第１のキャリアについての前記ＣＩマッピングを伝えるシグナリングを受信すること
をさらに備える、［Ｃ２２］に記載の方法。
［Ｃ３８］
前記ＣＩマッピングが、リソースを割り当てることができる複数のターゲットキャリアについての複数のＣＩ値を備え、前記シグナリングが、各ＣＩ値に対するターゲットキャリアを伝える、［Ｃ３７］に記載の方法。
［Ｃ３９］
前記シグナリングが、前記ＣＩマッピングについてのビットマップを伝え、前記ビットマップが、複数のターゲットキャリアの各々が前記ＣＩマッピング内に含まれるかどうかを示す、［Ｃ３７］に記載の方法。
［Ｃ４０］
前記シグナリングが、前記ＣＩマッピング内に含まれるターゲットキャリアのリストを伝える、［Ｃ３７］に記載の方法。
［Ｃ４１］
クロスキャリア割り当てが適用されるかどうかを示すシグナリングを受信することをさらに備え、前記グラントが、クロスキャリア割り当てが適用される場合は、前記ＣＩフィールドを備え、クロスキャリア割り当てが適用されない場合は、前記ＣＩフィールドを備えない、［Ｃ２２］に記載の方法。
［Ｃ４２］
前記ＣＩフィールドのサイズを示すシグナリングを受信すること
をさらに備える、［Ｃ２２］に記載の方法。
［Ｃ４３］
ワイヤレス通信のための装置であって、
ユーザ機器（ＵＥ）によって第１のキャリア上でキャリアインジケータ（ＣＩ）フィールドを備えるグラントを受信するための手段と、
前記グラントの前記ＣＩフィールドと、前記第１のキャリアについてのＣＩマッピングとに基づいて、前記ＵＥにリソースが割り当てられた第２のキャリアを決定するための手段と
を備える装置。
［Ｃ４４］
前記ＣＩマッピングが、前記第１のキャリアに特有であり、前記第１のキャリアを含む複数のソースキャリアが、グラントを送信するのに利用可能であり、各ソースキャリアにＣＩマッピングを１つずつ、複数のＣＩマッピングに関連付けられる、［Ｃ４３］に記載の装置。
［Ｃ４５］
前記第１のキャリアについての前記ＣＩマッピングが、前記ＵＥに特有であり、異なるＵＥは、前記第１のキャリアについて異なるＣＩマッピングを有することができる、［Ｃ４３］に記載の装置。
［Ｃ４６］
前記グラントが、ダウンリンク上でのデータ伝送のためにリソースを割り当てるダウンリンクグラントを備え、前記第１のキャリアと前記第２のキャリアが、異なるダウンリンクキャリアである、［Ｃ４３］に記載の装置。
［Ｃ４７］
前記グラントが、アップリンク上でのデータ伝送のためにリソースを割り当てるアップリンクグラントを備え、前記第１のキャリアが、ダウンリンクキャリアであり、前記第２のキャリアが、アップリンクキャリアである、［Ｃ４３］に記載の装置。
［Ｃ４８］
ワイヤレス通信のための装置であって、
ユーザ機器（ＵＥ）によって第１のキャリア上でキャリアインジケータ（ＣＩ）フィールドを備えるグラントを受信し、前記グラントの前記ＣＩフィールドと、前記第１のキャリアについてのＣＩマッピングとに基づいて、前記ＵＥにリソースが割り当てられた第２のキャリアを決定するように構成された、少なくとも１つのプロセッサ
を備える装置。
［Ｃ４９］
前記ＣＩマッピングが、前記第１のキャリアに特有であり、前記第１のキャリアを含む複数のソースキャリアが、グラントを送信するのに利用可能であり、各ソースキャリアにＣＩマッピングを１つずつ、複数のＣＩマッピングに関連付けられる、［Ｃ４８］に記載の装置。
［Ｃ５０］
前記第１のキャリアについての前記ＣＩマッピングが、前記ＵＥに特有であり、異なるＵＥは、前記第１のキャリアについて異なるＣＩマッピングを有することができる、［Ｃ４８］に記載の装置。
［Ｃ５１］
前記グラントが、ダウンリンク上でのデータ伝送のためにリソースを割り当てるダウンリンクグラントを備え、前記第１のキャリアと前記第２のキャリアが、異なるダウンリンクキャリアである、［Ｃ４８］に記載の装置。
［Ｃ５２］
前記グラントが、アップリンク上でのデータ伝送のためにリソースを割り当てるアップリンクグラントを備え、前記第１のキャリアが、ダウンリンクキャリアであり、前記第２のキャリアが、アップリンクキャリアである、［Ｃ４８］に記載の装置。
［Ｃ５３］
非一時的コンピュータ可読媒体であって、
少なくとも１つのプロセッサに、ユーザ機器（ＵＥ）によって第１のキャリア上でキャリアインジケータ（ＣＩ）フィールドを備えるグラントを受信させるためのコードと、
前記少なくとも１つのプロセッサに、前記グラントの前記ＣＩフィールドと、前記第１のキャリアについてのＣＩマッピングとに基づいて、前記ＵＥにリソースが割り当てられた第２のキャリアを決定させるためのコードと
を備える非一時的コンピュータ可読媒体
を備えるコンピュータプログラム製品。
［Ｃ５４］
ワイヤレス通信のための方法であって、
制御メッセージを送信するための第１のキャリアを決定することと、
前記制御メッセージが適用される第２のキャリアを決定することと、
前記制御メッセージが適用される前記第２のキャリアと、前記第１のキャリアについてのキャリアインジケータ（ＣＩ）マッピングとに基づいて、前記制御メッセージのＣＩフィールドを設定することと、
前記第１のキャリア上で前記制御メッセージを送信することと
を備える方法。
［Ｃ５５］
リソースグラント情報、もしくは肯定応答（ＡＣＫ）情報、もしくはチャネル品質インジケータ（ＣＱＩ）情報、もしくはチャネル状態情報、もしくは電力制御情報、またはそれらの組み合わせを伝える前記制御メッセージを生成すること
をさらに備える、［Ｃ５４］に記載の方法。
［Ｃ５６］
前記ＣＩマッピングが、前記第１のキャリアに特有であり、前記第１のキャリアを含む複数のソースキャリアが、制御メッセージを送信するのに利用可能であり、各ソースキャリアにＣＩマッピングを１つずつ、複数のＣＩマッピングに関連付けられる、［Ｃ５４］に記載の方法。
［Ｃ５７］
ワイヤレス通信のための装置であって、
制御メッセージを送信するための第１のキャリアを決定するための手段と、
前記制御メッセージが適用される第２のキャリアを決定するための手段と、
前記制御メッセージが適用される前記第２のキャリアと、前記第１のキャリアについてのキャリアインジケータ（ＣＩ）マッピングとに基づいて、前記制御メッセージのＣＩフィールドを設定するための手段と、
前記第１のキャリア上で前記制御メッセージを送信するための手段と
を備える装置。
［Ｃ５８］
リソースグラント情報、もしくは肯定応答（ＡＣＫ）情報、もしくはチャネル品質インジケータ（ＣＱＩ）情報、もしくはチャネル状態情報、もしくは電力制御情報、またはそれらの組み合わせを伝える前記制御メッセージを生成するための手段
をさらに備える、［Ｃ５７］に記載の装置。
［Ｃ５９］
前記ＣＩマッピングが、前記第１のキャリアに特有であり、前記第１のキャリアを含む複数のソースキャリアが、制御メッセージを送信するのに利用可能であり、各ソースキャリアにＣＩマッピングを１つずつ、複数のＣＩマッピングに関連付けられる、［Ｃ５７］に記載の装置。
［Ｃ６０］
ワイヤレス通信のための方法であって、
第１のキャリア上でキャリアインジケータ（ＣＩ）フィールドを備える制御メッセージを受信することと、
前記制御メッセージの前記ＣＩフィールドと、前記第１のキャリアについてのＣＩマッピングとに基づいて、前記制御メッセージが適用される第２のキャリアを決定することと
を備える方法。
［Ｃ６１］
リソースグラント情報、もしくは肯定応答（ＡＣＫ）情報、もしくはチャネル品質インジケータ（ＣＱＩ）情報、もしくはチャネル状態情報、もしくは電力制御情報、またはそれらの組み合わせを前記制御メッセージから獲得すること
をさらに備える、［Ｃ６０］に記載の方法。
［Ｃ６２］
前記ＣＩマッピングが、前記第１のキャリアに特有であり、前記第１のキャリアを含む複数のソースキャリアが、制御メッセージを送信するのに利用可能であり、各ソースキャリアにＣＩマッピングを１つずつ、複数のＣＩマッピングに関連付けられる、［Ｃ６０］に記載の方法。
［Ｃ６３］
ワイヤレス通信のための装置であって、
第１のキャリア上でキャリアインジケータ（ＣＩ）フィールドを備える制御メッセージを受信するための手段と、
前記制御メッセージの前記ＣＩフィールドと、前記第１のキャリアについてのＣＩマッピングとに基づいて、前記制御メッセージが適用される第２のキャリアを決定するための手段と
を備える装置。
［Ｃ６４］
リソースグラント情報、もしくは肯定応答（ＡＣＫ）情報、もしくはチャネル品質インジケータ（ＣＱＩ）情報、もしくはチャネル状態情報、もしくは電力制御情報、またはそれらの組み合わせを前記制御メッセージから獲得するための手段
をさらに備える、［Ｃ６３］に記載の装置。
［Ｃ６５］
前記ＣＩマッピングが、前記第１のキャリアに特有であり、前記第１のキャリアを含む複数のソースキャリアが、制御メッセージを送信するのに利用可能であり、各ソースキャリアにＣＩマッピングを１つずつ、複数のＣＩマッピングに関連付けられる、［Ｃ６３］に記載の装置。
【図１】
0005497187.tif 000005
【図２】
0005497187.tif 000006
【図３Ａ】
0005497187.tif 000007
【図３Ｂ】
0005497187.tif 000008
【図４】
0005497187.tif 000009
【図５】
0005497187.tif 000010
【図６】
0005497187.tif 000011
【図７】
0005497187.tif 000012
【図８】
0005497187.tif 000013